(57)【要約】該当領域において決められた制御ポリシーに従うことができる移動端末と移動端末の制御ポリシー特定システムとを提供する。ＲＦＩＤタグ５ａ，ｂからデータを受信する移動端末３ａ，ｂを提供する。具体的には、移動端末３ａ，ｂは、記憶部３３、判断部３４及び制御部３６を有する。記憶部３３は、前記移動端末３ａ，ｂを制御させる制御ポリシーと、前記制御ポリシーを識別するポリシー識別子とを対応づけて記憶している。判断部３４は、記憶部３３が記憶しているポリシー識別子の何れかが、前記受信したデータに含まれているか否かを判断する。記憶しているポリシー識別子の何れかが、前記受信したデータに含まれていると判断部３４が判断した場合、制御部３６は、受信したポリシー識別子に対応づけられている制御ポリシーに基づいて自端末の制御を行う。【特許請求の範囲】
【請求項１】
ＲＦＩＤ（Ｒａｄｉｏ  Ｆｒｅｑｕｅｎｃｙ−ＩＤｅｎｔｉｆｉｃａｔｉｏｎ）タグからデータを受信する移動端末であって、
前記移動端末を制御する制御ポリシーと、前記制御ポリシーを識別するポリシー識別子と、を対応づけて記憶している記憶手段と、
前記記憶手段が記憶しているポリシー識別子の何れかが、前記受信したデータに含まれているか否かを判断する判断手段と、
前記記憶しているポリシー識別子の何れかが前記受信したデータに含まれていると前記判断手段が判断した場合、受信したポリシー識別子に対応づけられている制御ポリシーに基づいて自端末の制御を行う制御手段と、
を含むことを特徴とする、移動端末。
【請求項２】
自端末に所定のイベントが生じた任意のタイミングで、前記ポリシー識別子の送信要求を前記ＲＦＩＤタグに送信する送信手段を更に含むことを特徴とする、請求項１に記載の移動端末。
【請求項３】
他の端末と通信を行う通信手段を更に含み、
前記送信手段は、前記通信手段における通信を中断し、前記ポリシー識別子の送信要求を前記ＲＦＩＤタグに送信することを特徴とする、請求項２に記載の移動端末。
【請求項４】
他の端末と通信を行う通信手段を更に含み、
前記送信手段は、前記通信手段における通信の終了を検出し、前記ポリシー識別子の送信要求を前記ＲＦＩＤタグに送信することを特徴とする、請求項２に記載の移動端末。
【請求項５】
自端末のユーザからの指示を検知する第１検知手段を更に含み、
前記第１検知手段が前記ユーザからの指示を検知した場合、前記送信手段は前記ポリシー識別子の送信要求を前記ＲＦＩＤタグに送信することを特徴とする、請求項２に記載の移動端末。
【請求項６】
前記記憶手段は任意のアプリケーションを更に記憶し、
前記記憶しているアプリケーションの起動を検知する第２検知手段を更に含み、
前記第２検知手段が前記記憶しているアプリケーションの起動を検知した場合、前記送信手段は前記ポリシー識別子の送信要求を前記ＲＦＩＤタグに送信することを特徴とする、請求項２に記載の移動端末。
【請求項７】
前記記憶手段は自端末の現在の制御ポリシーを識別する現在のポリシー識別子を判別しており、
前記判断手段は、データを受信する度に、前記記憶手段が記憶しているポリシー識別子の何れかが新たに受信したデータに含まれているか否かを判断し、
前記判断部が、前記記憶しているポリシー識別子の何れかが前記新たに受信したデータに含まれていると判断した場合、前記新たに受信したポリシー識別子と前記現在のポリシー識別子とを比較する比較手段を更に含み、
前記新たに受信したポリシー識別子と前記現在のポリシー識別子とが異なる場合は、前記記憶手段は、前記新たに受信したポリシー識別子を現在のポリシー識別子として記憶することを特徴とする、請求項１に記載の移動端末。
【請求項８】
ＲＦＩＤタグからデータを受信する移動端末のＲＦＩＤタグ制御ポリシー特定方法であって、
前記移動端末を制御する制御ポリシーと、前記制御ポリシーを識別するポリシー識別子と、を対応づけて記憶するステップと、
前記記憶しているポリシー識別子の何れかが、前記受信したデータに含まれているか否かを判断するステップと、
前記記憶しているポリシー識別子の何れかが前記受信したデータに含まれていると判断した場合、受信したポリシー識別子に対応づけられている制御ポリシーに基づいて自端末の制御を行うステップと、
を含むことを特徴とする、移動端末の制御ポリシー特定方法。
【請求項９】
複数のＲＦＩＤタグと前記複数のＲＦＩＤタグからデータを受信する移動端末とを備えた制御ポリシー特定システムであって、
前記移動端末は、
前記移動端末を制御する制御ポリシーと、前記制御ポリシーを識別するポリシー識別子と、を対応づけて記憶している記憶手段と、
前記記憶手段が記憶しているポリシー識別子の何れかが、前記受信したデータに含まれているか否かを判断する判断手段と、
前記記憶しているポリシー識別子の何れかが前記受信したデータに含まれていると前記判断手段が判断した場合、受信したポリシー識別子に対応づけられている制御ポリシーに基づいて自端末の制御を行う制御手段と、を含み、
前記複数のＲＦＩＤタグの各々は、
各ＲＦＩＤタグを識別する固有情報に基づいて前記各ＲＦＩＤタグのスロットを生成する生成手段と、
前記生成手段が生成した前記スロットを用いて、前記ポリシー識別子を順次に時分割送信する送信手段と、
を含むことを特徴とする、制御ポリシー特定システム。
【請求項１０】
前記移動端末は、前記ポリシー識別子の送信要求を前記ＲＦＩＤタグに送信する送信手段を更に含み、
前記判断手段は、前記複数のＲＦＩＤタグのうち少なくとも１つのＲＦＩＤタグから前記ポリシー識別子を受信した場合、前記送信手段による前記ポリシー識別子の送信要求の送信を停止させることを特徴とする、請求項９に記載の制御ポリシー特定システム。
【請求項１１】
ＲＦＩＤタグからデータを受信する移動端末に搭載されるコンピュータが実行する制御ポリシー特定プログラムであって、
前記移動端末を制御する制御ポリシーと、前記制御ポリシーを識別するポリシー識別子と、を対応づけて記憶する手段、
前記記憶手段が記憶しているポリシー識別子の何れかが、前記受信したデータに含まれているか否かを判断する判断手段、及び
前記記憶しているポリシー識別子の何れかが前記受信したデータに含まれていると前記判断手段が判断した場合、受信したポリシー識別子に対応づけられている制御ポリシーに基づいて自端末の制御を行う制御手段、
として前記コンピュータを機能させるための制御ポリシー特定プログラム。
【発明の詳細な説明】
【技術分野】
【０００１】  本発明は、ＲＦＩＤタグからデータを受信する移動端末、前記移動端末の制御ポリシー特定方法及びプログラムに関する。
【背景技術】
【０００２】  携帯電話等の移動端末は、その優れた利便性により我々の生活に浸透している。移動端末を所有するユーザは、例えば映画館、美術館、病院、電車の車内等どのような場所でも通話を行うことができる。一方、病院や美術館、電車の車内のように、他の人々への迷惑行為を防止させるために、移動端末による通話を禁止している場所もある。しかし、これらの場所では、アナウンスにより移動端末の通話禁止を促したり、通話禁止である旨のポスターを掲示しているのみの場合が多い。従って、このような場所において実際に移動端末の通信を行うか否かは、そのユーザの判断に委ねられている。【０００３】  近年、移動端末の通話を禁止している場所では、通話を強制的に禁止させるように移動端末を制御する方法が用いられている場合がある。図１７に、その一例を示す。図１７は、移動端末を所有するユーザが通話可能区域及び通話禁止区域間を移動する場合を示している。ここで、図１７の“通話禁止領域”は閉鎖空間である。以下より、閉鎖空間が例えば建物の内部であるとする。建物のゲートには、ユーザの出入りを検出するセンサと、センサからの検出信号に基づいてユーザの移動端末へ信号を送信する送信部とが設けられている。ユーザが通話可能領域から通話禁止領域へ移動した場合（Ａ）、センサはユーザの移動方向を検出し、送信部はセンサの検出信号に基づいて移動端末に信号を送信する。移動端末はこの信号に基づいて、自端末を着信不可な状態に制御する。また、ユーザが通話禁止領域から通話可能領域へ移動した場合（Ｂ）、センサはユーザの移動方向を検出し、送信部はセンサの検出信号に基づいて移動端末に信号を送信する。移動端末はこの信号に基づいて、自端末を着信可能な状態に制御する。【０００４】  また、特許文献１は、携帯電話の通話を禁止する場所において、強制的に通話を禁止させるように携帯電話を制御するシステムを示している。図１８は、特許文献１に係るシステム概念図である。図１８のシステムでは、建物の入口等に設置された簡易基地局装置４０１が、建物内へ移動するユーザの携帯電話４０２に電源オフ信号を報知する。電源オフ信号を受信した携帯電話４０２は自端末の電話番号を簡易基地局装置４０１に通知する。そして、携帯電話４０２は、簡易基地局装置４０１から公衆基地局装置４０３を介して無線ネットワーク４０４内の位置管理サーバ４０５に電源オフした旨を通知及び登録する。携帯電話４０２への着信動作は位置管理サーバ４０５の登録内容を参照して行われる。
【特許文献１】特開平１１−６９４１２号公報
【発明の開示】
【０００５】  しかしながら、上述した方法には以下の問題点がある。
【０００６】  図１７の方法は、ユーザの動作を検出するセンサが設置された出入口を、ユーザは必ず通過しなければならない。即ち、移動端末に対して制御ポリシーを強制させたい該当領域は、必ず壁で仕切られた閉鎖空間であって、この閉鎖空間にはゲートが設けられている必要がある。壁で仕切られていないような領域内では、ユーザがゲートを必ずしも通過するとは限らない。即ち、壁で仕切られていないような領域では、移動端末を強制的に制御ポリシーに従わせることは困難である。また、例えば１つの領域を通話可能領域と通話禁止領域とに分割する場合は、その分割した各領域を閉鎖空間にし、閉鎖空間にはゲートを設けなければならない。そして、その各ゲートにはセンサ及び送信部を設置する必要がある。従って、各区域に設置されるゲート、センサ及び送信部を設置するためのコストがかかってしまう。
【０００７】  また、特許文献１のシステムでは、簡易基地局装置４０１、公衆基地局装置４０３、無線ネットワーク４０４、位置管理サーバ４０５等の多数の機器を必要とする。即ち、特許文献１のシステムを用いる場合はコストがかかってしまう。
【０００８】  本発明は、これらの課題を解決したものであって、ユーザの意志に関わらず、該当領域において決められた制御ポリシーに従うことができる移動端末と移動端末の制御ポリシー特定システムとを提供することを目的とする。
【０００９】  前記課題を解決するために、発明１は、ＲＦＩＤ（Ｒａｄｉｏ  Ｆｒｅｑｕｅｎｃｙ−ＩＤｅｎｔｉｆｉｃａｔｉｏｎ）タグからデータを受信する移動端末を提供する。本発明１に係る移動端末は、記憶手段と、判断手段と、制御手段とを含む。記憶手段は、前記移動端末を制御する制御ポリシーと、前記制御ポリシーを識別するポリシー識別子と、を対応づけて記憶している。判断手段は、前記記憶手段が記憶しているポリシー識別子の何れかが、前記受信したデータに含まれているか否かを判断する。制御手段は、前記記憶しているポリシー識別子の何れかが前記受信したデータに含まれていると前記判断手段が判断した場合、受信したポリシー識別子に対応づけられている制御ポリシーに基づいて自端末の制御を行う。
【００１０】  この移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【００１１】  発明２は、前記発明１において、自端末に所定のイベントが生じた任意のタイミングで、前記ポリシー識別子の送信要求を前記ＲＦＩＤタグに送信する送信手段を更に含む移動端末を提供する。
【００１２】  移動端末が一斉にＲＦＩＤタグに対してポリシー識別子の送信要求を送信すると、送信要求同士の衝突が生じる。そこで、この移動端末は、自端末に所定のイベントが生じると、ポリシー識別子の送信要求をＲＦＩＤタグに送信する。自端末に所定のイベントが発生するタイミングは各々の移動端末により異なる。そのため、移動端末が一斉にＲＦＩＤタグにポリシー識別子の送信要求を送信する確率は減少する。即ち、移動端末がＲＦＩＤタグにポリシー識別子の送信要求を送信するタイミングはずれている。従って、ポリシー識別子の送信要求同士の衝突を回避することができる。
【００１３】  発明３は、前記発明２において、他の端末と通信を行う通信手段を更に含む。そして、発明３は、前記送信手段が、前記通信手段における通信を中断し、前記ポリシー識別子の送信要求を前記ＲＦＩＤタグに送信することを特徴とする移動端末を提供する。
【００１４】  移動端末が一斉にＲＦＩＤタグに対してポリシー識別子の送信要求を送信すると、送信要求同士の衝突が生じる。この移動端末は、例えば他の端末から着信があった場合、着信をユーザに知らせるための呼び出し音を鳴らす前に、ポリシー識別子の送信要求を送信する。即ち、送信部は、通信手段における他の端末の通信を中断し、ポリシー識別子の送信要求を送信する。自端末が他の端末からの着信を受信するタイミングは各々の移動端末により異なる。そのため、移動端末が一斉にＲＦＩＤタグにポリシー識別子の送信要求を送信する確率は減少する。即ち、移動端末のＲＦＩＤタグにポリシー識別子の送信要求を送信するタイミングがずれる。従って、ポリシー識別子の送信要求同士の衝突を回避することができる。
【００１５】  発明４は、前記発明２において、他の端末と通信を行う通信手段を更に含む。そして、発明４は、前記送信手段が、前記通信手段における通信の終了を検出し、前記ポリシー識別子の送信要求を前記ＲＦＩＤタグに送信することを特徴とする移動端末を提供する。
【００１６】  移動端末が一斉にＲＦＩＤタグに対してポリシー識別子の送信要求を送信すると、送信要求同士の衝突が生じる。この移動端末は、例えば他の端末からメールが送られてくると、移動端末はポリシー識別子の送信要求を送信する。自端末が他の端末からメールを受信するタイミングは各々の移動端末により異なる。そのため、移動端末が一斉にＲＦＩＤタグにポリシー識別子の送信要求を送信する確率は減少する。即ち、移動端末のＲＦＩＤタグにポリシー識別子の送信要求を送信するタイミングがずれる。従って、ポリシー識別子の送信要求同士の衝突を回避することができる。
【００１７】  発明５は、前記発明２において、自端末のユーザからの指示を検知する第１検知手段を更に含む。そして、発明５は、前記第１検知手段が前記ユーザからの指示を検知した場合、前記送信手段は前記ポリシー識別子の送信要求を前記ＲＦＩＤタグに送信することを特徴とする移動端末を提供する。
【００１８】  移動端末が一斉にＲＦＩＤタグに対してポリシー識別子の送信要求を送信すると、送信要求同士の衝突が生じる。この移動端末は、例えばＴＶ機能を有した移動端末であるとする。ＴＶ機能を既に起動させている移動端末においてユーザがＴＶ機能の音量を大きくするボタンを押下すると、移動端末のＴＶ機能の音量が大きくなる前に、移動端末はポリシー識別子の送信要求を送信する。移動端末のユーザが音量ボタンを押下するタイミングは各々の移動端末により異なる。そのため、移動端末が一斉にＲＦＩＤタグにポリシー識別子の送信要求を送信する確率は減少する。従って、ポリシー識別子の送信要求同士の衝突を回避することができる。
【００１９】  発明６は、前記発明２において、前記記憶手段は任意のアプリケーションを更に記憶し、前記記憶しているアプリケーションの起動を検知する第２検知手段を更に含む。そして、発明６は、前記第２検知手段が前記記憶しているアプリケーションの起動を検知した場合、前記送信手段は前記ポリシー識別子の送信要求を前記ＲＦＩＤタグに送信することを特徴とする移動端末を提供する。
【００２０】  移動端末が一斉にＲＦＩＤタグに対してポリシー識別子の送信要求を送信すると、送信要求同士の衝突が生じる。この移動端末は、例えば音楽機能を有した移動端末であるとする。移動端末のユーザが音楽機能を起動させて使用しようとすると、移動端末はポリシー識別子の送信要求を送信する。移動端末のユーザが音楽機能等の任意のアプリケーションを起動させるタイミングは各々の移動端末により異なる。そのため、移動端末が一斉にＲＦＩＤタグにポリシー識別子の送信要求を送信する確率は減少する。従って、ポリシー識別子の送信要求同士の衝突を回避することができる。
【００２１】  発明７は、前記発明１において、前記記憶手段は自端末の現在の制御ポリシーを識別する現在のポリシー識別子を判別しており、前記判断手段は、データを受信する度に、前記記憶手段が記憶しているポリシー識別子の何れかが新たに受信したデータに含まれているか否かを判断する。そして、前記判断部が、前記記憶しているポリシー識別子の何れかが前記新たに受信したデータに含まれていると判断した場合、前記新たに受信したポリシー識別子と前記現在のポリシー識別子とを比較する比較手段を更に含む。更に、前記新たに受信したポリシー識別子と前記現在のポリシー識別子とが異なる場合は、前記記憶手段は、前記新たに受信したポリシー識別子を現在のポリシー識別子として記憶することを特徴とする移動端末を提供する。
【００２２】  移動端末は、現在の自端末の制御ポリシーとは異なるポリシー識別子を受信した場合は、新たに受信したポリシー識別子が示す制御ポリシーに基づいて自端末を制御する。即ち、移動端末は、常に最新の制御ポリシーに従うことができる。
【００２３】  また、前記課題を解決するために、発明８は、ＲＦＩＤタグからデータを受信する移動端末のＲＦＩＤタグ制御ポリシー特定方法を提供する。具体的には、以下のステップを含む。
◎前記移動端末を制御する制御ポリシーと、前記制御ポリシーを識別するポリシー識別子と、を対応づけて記憶するステップ。
◎前記記憶しているポリシー識別子の何れかが、前記受信したデータに含まれているか否かを判断するステップ。
◎前記記憶しているポリシー識別子の何れかが前記受信したデータに含まれていると判断した場合、受信したポリシー識別子に対応づけられている制御ポリシーに基づいて自端末の制御を行うステップ。
【００２４】  この移動端末の制御ポリシー特定方法によると、移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【００２５】  また、前記課題を解決するために、発明９は、複数のＲＦＩＤタグと前記複数のＲＦＩＤタグからデータを受信する移動端末とを備えた制御ポリシー特定システムを提供する。本システムに係る前記移動端末は、記憶手段と、判断手段と、制御手段とを含む。記憶手段は、前記移動端末を制御する制御ポリシーと、前記制御ポリシーを識別するポリシー識別子と、を対応づけて記憶している。判断手段は、前記記憶手段が記憶しているポリシー識別子の何れかが、前記受信したデータに含まれているか否かを判断する。制御手段は、前記記憶しているポリシー識別子の何れかが前記受信したデータに含まれていると前記判断手段が判断した場合、受信したポリシー識別子に対応づけられている制御ポリシーに基づいて自端末の制御を行う。そして、本システムに係る複数のＲＦＩＤタグの各々は、各ＲＦＩＤタグを識別する固有情報に基づいて前記各ＲＦＩＤタグのスロットを生成する生成手段と、前記生成手段が生成した前記スロットを用いて、前記ポリシー識別子を順次に時分割送信する送信手段と、を含む。
【００２６】  ＲＦＩＤタグは、ポリシー識別子を移動端末へ送信するタイミングを生成する。ＲＦＩＤタグが移動端末に送信するポリシー識別子は、各ＲＦＩＤタグが生成したスロットに基づいて時分割送信される。移動端末は、順次に送られてきたポリシー識別子を受信する。これにより、複数のＲＦＩＤタグから送信される各ポリシー識別子は重畳しない。従って、複数のＲＦＩＤタグから送信される各ポリシー識別子同士の衝突を回避することができる。
【００２７】  発明１０は、前記発明９において、前記移動端末は、前記ポリシー識別子の送信要求を前記ＲＦＩＤタグに送信する送信手段を更に含む。そして、前記判断手段は、前記複数のＲＦＩＤタグのうち少なくとも１つのＲＦＩＤタグから前記ポリシー識別子を受信した場合、前記送信手段による前記ポリシー識別子の送信要求の送信を停止させることを特徴とする制御ポリシー特定システムを提供する。
【００２８】  複数のＲＦＩＤタグは同じ領域内に位置しており、同じポリシー識別子を有しているとする。この制御ポリシー特定システムによると、移動端末は、少なくとも１つのＲＦＩＤタグからポリシー識別子を受信すると、ポリシー識別子の送信要求を停止する。即ち、移動端末は、複数のＲＦＩＤタグから同一のポリシー識別子を複数回受信しなくて済む。従って、移動端末の消費電力を抑えることができる。
【００２９】  また、前記課題を解決するために、発明１１は、ＲＦＩＤタグからデータを受信する移動端末に搭載されるコンピュータが実行する制御ポリシー特定プログラムを提供する。具体的には、以下の手段を含む。
◎前記移動端末を制御する制御ポリシーと、前記制御ポリシーを識別するポリシー識別子と、を対応づけて記憶する手段。
◎前記記憶手段が記憶しているポリシー識別子の何れかが、前記受信したデータに含まれているか否かを判断する判断手段。
◎前記記憶しているポリシー識別子の何れかが前記受信したデータに含まれていると前記判断手段が判断した場合、受信したポリシー識別子に対応づけられている制御ポリシーに基づいて自端末の制御を行う制御手段。
【００３０】  この制御ポリシー特定プログラムによると、移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【００３１】  本発明によると、ユーザの意志に関わらず、移動端末は該当領域における制御ポリシーに従うことができる。
【図面の簡単な説明】
【００３２】
【図１】第１実施形態に係る制御ポリシー特定システムの構成図。
【図２】ＲＦＩＤタグが有するポリシーコードの情報の説明図。
【図３】第１実施形態に係る移動端末の機能構成図。
【図４】第１実施形態に係る記憶部が記憶しているポリシー情報の概念図である。
【図５】第１実施形態に係る制御ポリシー特定システムの動作フローチャート。
【図６】第１実施形態係る制御ポリシー特定システムの構成図。
【図７】第１実施形態に係る制御ポリシー特定システムの動作フローチャート。
【図８】第２実施形態に係る制御ポリシー特定システムの構成図。
【図９】第２実施形態に係る移動端末の機能構成図。
【図１０】第２実施形態に係る記憶部が記憶しているポリシー情報の概念図
【図１１】第２実施形態に係る制御ポリシー特定システムの動作フローチャート
【図１２】第３実施形態に係る制御ポリシー特定システムの構成図。
【図１３】第３実施形態に係る移動端末と複数のＲＦＩＤタグとの動作を示すタイミングチャート。
【図１４】第４実施形態に係る制御ポリシー特定システムの構成図。
【図１５】第４実施形態に係る記憶部が記憶しているポリシー情報の概念図。
【図１６】第４実施形態に係る制御ポリシー特定システムの動作フローチャート。
【図１７】従来の移動端末を制御する方法の一例。
【図１８】特許文献１に係る移動端末及びＲＦＩＤタグを用いたシステム構成図。
【発明を実施するための最良の形態】
【００３３】  ＜第１実施形態＞
（１）システムの構成
図１は、本発明の第１実施形態に係る制御ポリシー特定システムの構成図である。制御ポリシーとは、任意の領域内において決められたルールに基づいて、移動端末を強制的に制御するための制御信号をいう。第１実施形態は、例えば電車２内の移動端末３ａ，ｂに、電車２内の制御ポリシーを強制するシステムを例にとる。図１の制御ポリシー特定システム１は、電車２内のポスター４とＲＦＩＤタグ５ａとを含む。ポスター４は、電車２内の移動端末３ａ，ｂに、電車２内のマナーを強制するための制御ポリシーを掲示したものであって、ＲＦＩＤタグ５ａが貼付されている。ＲＦＩＤタグ５ａは、電車２内の制御ポリシーを特定するためのポリシーＩＤ等を含むポリシーコードを記憶しており、移動端末３ａ，ｂにポリシーコードを送信する。尚、本実施形態に係るＲＦＩＤタグ５ａ，ｂは、内部に電源を有さず、移動端末３ａ，ｂ等の外部機器から送信される搬送波を電力に変換し、これを用いて移動端末にポリシーコードを提供する。即ち、本実施形態では、ＲＦＩＤタグ５ａ，ｂがパッシブタグである場合を想定している。【００３４】  図２は、ＲＦＩＤタグ５ａ，ｂが記憶しているポリシーコードの情報の説明図である。図２に示すように、ＲＦＩＤタグ５ａ，ｂが記憶しているポリシーコードは、ポリシーＩＤと、該当機器コードと、シーケンスナンバーとを含む。ポリシーＩＤは、ＲＦＩＤタグ５ａ，ｂが位置している領域内の制御ポリシーを識別する。該当機器コードは、制御ポリシーを強制する対象の機器を示す。シーケンスナンバーは、ＲＦＩＤタグ５ａ，ｂを識別するための固有情報である。【００３５】  移動端末３ａ，ｂは、ＲＦＩＤタグ５ａからポリシーコードを受信すると、これに基づいて電車２内の制御ポリシーを特定し、特定した制御ポリシーに基づいて自端末の制御を行う。【００３６】  尚、本実施形態では、ＲＦＩＤタグ５はポスター４に貼付されているとしたが、これに限定されない。ＲＦＩＤタグ５は、電車２内の制御ポリシーに対応するポリシーＩＤを、電車２内の移動端末３ａ，ｂに対し送信できる場所であれば、どこに設置されてもよい。【００３７】  （２）機能
次に、本発明の第１実施形態に係る移動端末３ａ，ｂの機能について説明する。ここで、移動端末３ａ，ｂは同じ機能構成を持つため、以下より移動端末３ａについて説明する。図３は、本発明の第１実施形態に係る移動端末３ａの機能構成図である。本実施形態に係る移動端末３ａは、ＲＦＩＤタグ５ａ，ｂからのデータを受信するリーダとしての機能を備えている。具体的には、図３の移動端末３ａは、受信部３１、送信部３２、記憶部３３、判断部３４、比較部３５、制御部３６及び通信部３７を含む。以下より、各機能について詳述する。【００３８】    （２−１）受信部
受信部３１は、ＲＦＩＤタグ５ａ，ｂからポリシーコードを含むデータを受信する。【００３９】    （２−２）送信部
送信部３２は、自端末に所定のイベントが生じた任意のタイミングで、ポリシーＩＤを含むポリシーコードの送信要求をＲＦＩＤタグ５ａ，ｂに送信する。そして、送信部３２は、ＲＦＩＤタグ５ａ，ｂに電力を供給する搬送波を送信する。“自端末の所定のイベント”については後述する。【００４０】    （２−３）記憶部
記憶部３３は、ポリシー情報を記憶している。ポリシー情報は、移動端末を制御する制御ポリシーと、該制御ポリシーを識別するポリシーＩＤとを１レコードとして記憶している。図４は、記憶部３３が記憶しているポリシー情報の概念図である。具体的には、記憶部３３は、ポリシーＩＤ“０１ｈ”と制御ポリシー“電源をＯＦＦにする”とを対応づけて記憶している。記憶部３３は、ポリシーＩＤ“０２ｈ”と制御ポリシー“電源をＯＮにする”とを対応づけて記憶している。記憶部３３は、ポリシーＩＤ“０３ｈ”と制御ポリシー“着信拒否にする”とを対応づけて記憶している。記憶部３３は、ポリシーＩＤ“０４ｈ”と制御ポリシー“着信可能にする”とを対応づけて記憶している。尚、記憶部３３が記憶しているポリシーＩＤと制御ポリシーとの対応情報は、他の移動端末及びＲＦＩＤタグ５ａ，ｂにおいても共通である。記憶部３３は、ポリシーＩＤと制御ポリシーとの対応情報を書き換えることは出来ない。記憶部３３が記憶しているポリシーＩＤと制御ポリシーとの対応情報を書き換えると、ポリシーＩＤと制御ポリシーとの対応情報が移動端末毎に異なる場合が生じる。すると、各移動端末が同一のポリシーコードを受信しても、移動端末毎にポリシーＩＤに対応する制御ポリシーが異なるため、移動端末毎に異なった制御がなされる。従って、移動端末を統一した制御ポリシーに強制することができない場合が発生してしまう。【００４１】  また、新たなポリシーＩＤと制御ポリシーとの対応情報を移動端末３ａに追加する場合は、移動端末３ａは、任意の方法を用いて該対応情報を外部装置から取得することができる。任意の方法には、例えばＳＤカードを用いた方法が挙げられる。移動端末３ａのユーザは新たなポリシーＩＤと制御ポリシーとの対応情報を記憶しているＳＤカードを移動端末３ａに差込み、移動端末３ａの記憶部３３はＳＤカード内の新たな対応情報を読み出して追記してもよい。また、移動端末３ａの記憶部３３は、自端末とネットワークを構築しているサーバ（図示せず）から新たな該対応情報をダウンロードしてもよい。ここで、新たに取得するポリシーＩＤと制御ポリシーとの対応情報は、書き換えることができないことが必須である。【００４２】  また、記憶部３３は、自端末の現在の制御ポリシー（以下、カレント制御ポリシーと称する）を判別可能に記憶している。例えば、図４に示すように、記憶部３３は、カレント制御ポリシーを識別するためのフラグを更に記憶する。フラグは、ポリシー情報のうち、どれがカレント制御ポリシーのレコードかを示す。フラグの位置は、カレント制御ポリシーの変更に伴い変化する。【００４３】    （２−４）判断部
判断部３４は、記憶部３３が記憶しているポリシー識別子の何れかが、ＲＦＩＤタグ５ａ，ｂから受信したデータに含まれているか否かを判断する。言い換えると、判断部３４は、ＲＦＩＤタグ５ａ，ｂから受信したデータ内に、記憶部３３が記憶しているポリシー識別子と一致するポリシー識別子があるか否かを検索する。例えば、受信部３１が受信したデータはポリシーコード内にポリシーＩＤ“０１ｈ”を有しているとする。判断部３４は、記憶部３３に記憶しているポリシーＩＤ“０１ｈ”“０２ｈ”“０３ｈ”“０４ｈ”のうちいづれかが、受信したデータ内にあるか否かを検索する。本実施形態では、記憶部３３が記憶しているポリシーＩＤ“０１ｈ”と、受信部３１が受信したデータ内のポリシーＩＤ“０１ｈ”とは一致する。この場合、判断部３４は、記憶部３３が記憶しているポリシー識別子“０１ｈ”が、受信部３１が受信したデータ内に含まれていると判断する。そして、判断部３４は、受信部３１が受信したデータ内のポリシーＩＤ“０１ｈ”に対応する制御ポリシーを抽出する。【００４４】  また、判断部３４は、受信部３１がデータを受信する度に、記憶部３３が記憶しているポリシーＩＤの何れかが新たに受信したデータに含まれているか否かを判断する。【００４５】    （２−５）比較部
判断部３４が、記憶しているポリシー識別子のいずれかが新たに受信したデータに含まれていると判断すると、比較部３５は新たに受信したポリシーＩＤと記憶部３３が記憶しているカレント制御ポリシーのポリシーＩＤ（以下、カレントポリシーＩＤと称する）とを比較し、一致するか否かを判断する。例えば、受信部３１が新たに受信したデータはポリシーコード内にポリシーＩＤ“０２ｈ”を有しており、判断部３４がこれを特定したとする。比較部３５は、記憶部３３が記憶しているポリシー情報内からカレントポリシーＩＤ“０１ｈ”を抽出する。そして、比較部３５は、新たに受信したポリシーＩＤ“０２ｈ”とカレントポリシーＩＤ“０１ｈ”とを比較する。比較部３５は、“０１ｈ”と“０２ｈ”とが不一致であると判断し、判断結果を制御部３６及び記憶部３３へ送信する。このとき、記憶部３３は、比較部３５からの判断結果に基づいて、カレントポリシーＩＤを“０１ｈ”から“０２ｈ”へ更新する。例えば、記憶部３３はフラグの位置を変更する。【００４６】    （２−６）制御部
制御部３６は、受信部３１が受信したポリシーＩＤに対応づけられている制御ポリシーに基づいて自端末の制御を行う。例えば、受信したポリシーＩＤが“０１ｈ”である場合は、制御部３６は自端末の電源をオフにする。受信したポリシーＩＤが“０２ｈ”である場合は、制御部３６は自端末の電源をオンにする。受信したポリシーＩＤが“０３ｈ”である場合は、制御部３６は自端末を着信拒否の状態にする。受信したポリシーＩＤが“０４ｈ”である場合は、制御部３６は自端末を着信可能な状態にする。【００４７】  また、制御部３６は、カレント制御ポリシーが更新される度に、更新後のカレント制御ポリシーに基づいて自端末を制御する。例えば、カレントポリシーＩＤが“０１ｈ”から“０２ｈ”に変化した場合は、制御部３６は、新たなポリシーＩＤ“０２ｈ”が示す制御ポリシーを記憶部３３のポリシー情報から抽出する。そして、制御部３６は、ポリシーＩＤ“０２ｈ”が示す制御ポリシー“電源をＯＮにする”に従い自端末を制御する。これにより、移動端末３ａは常に最新のポリシーに従うことができる。【００４８】  尚、記憶部３３内のポリシーＩＤのいずれかが、受信したデータ内に含まれていないと判断部３４が判断した場合、及び比較部３５が受信したポリシーＩＤとカレントポリシーＩＤとが一致すると判断した場合は、制御部３６はカレント制御ポリシーに係る制御を継続する。【００４９】    （２−７）通信部
通信部３７は、他の通信端末との通信を行う。通信部３７とは、電話やアプリケーション、メーラー、ブラウザ等である。また、“他の通信端末”とは、携帯電話やＰＤＡ、固定電話、ＦＡＸ、ＰＤＡ、ＰＣ等である。このように、他の通信端末は、移動端末３ａと通信を行うことができる機器であればよい。【００５０】  （３）所定のイベント
次に、移動端末３ａの送信部３２は、自端末にどのようなイベントが生じた場合にポリシーコードの送信要求を送信するかについて説明する。移動端末３ａにおける“所定のイベント”には、例えば以下の４つが挙げられる。【００５１】    （３−１）送信部３２が通信部３７における通信を中断した場合
この場合の通信部３７は、例えば電話及びインターネットブラウザが該当する。“通信を中断”とは、既に通信のためのコネクションが確立された状態においてその通信を中断させることを意味する。【００５２】  例えば、通信部３７が電話用アプリケーションである場合について説明する。移動端末３ａに他の通信端末から着信があったとする。この時点で、移動端末３ａと他の通信端末との間のコネクションは確立されている。しかし、通信部３７が着信音を鳴らす等して他の通信端末からの着信をユーザに知らせる動作を行う前に、送信部３２は通信部３７の通信を中断し、ポリシーコードの送信要求をＲＦＩＤタグ５ａ，ｂに送信する。そして、受信部３１がＲＦＩＤタグ５ａ，ｂからデータを受信すると、判断部３４はこのデータ内からポリシーＩＤを特定し、制御部３６はこのポリシーＩＤに従い制御する。例えば、このデータ内のポリシーＩＤが示す制御ポリシーが、“電源をＯＦＦする”であるとする。すると、制御部３６は自端末の電源をオフにする。従って、移動端末３ａと他の通信端末との間のコネクションは切断される。【００５３】  また、通信部３７がインターネットブラウザである場合について説明する。移動端末３ａの通信部３７は、例えばＰＣが有しているウェブページのサイトへアクセスしているとする。この時点で、移動端末３ａとのＰＣとの間のコネクションは確立されている。通信部３７が新たなウェブページのサイトへ更にアクセスしようとすると、送信部３２はこれを中断し、ポリシーコードの送信要求をＲＦＩＤタグ５ａ，ｂに送信する。即ち、通信部３７が新たなウェブページのサイトにアクセスする前に、送信部３２は通信部３７の通信を中断してポリシーコードの送信要求をＲＦＩＤタグ５ａ，ｂに送信する。【００５４】  このように、移動端末３ａが他の通信端末との通信を中断するタイミングは移動端末３ａ毎に異なる。そのため、制御ポリシーが統一された領域内に複数の移動端末がある場合、複数の移動端末が一斉にＲＦＩＤタグ５ａ，ｂにポリシーコードの送信要求を要求する確率は減少する。即ち、移動端末３のＲＦＩＤタグ５ａ，ｂにポリシーコードの送信要求を送信するタイミングがずれる。従って、ポリシーコードの送信要求同士の衝突を回避することができる。【００５５】    （３−２）送信部３２が、通信部３７における通信の終了を検出した場合
この場合の通信部３７は、例えばメーラーが該当する。“通信を終了”とは、既に通信のためのコネクションが確立された状態においてその通信の終了を検出した場合を意味する。【００５６】  例えば、移動端末３ａの通信部３７がメールを受信すると、移動端末３ａの送信部３２は通信部３７がメールを受信したことを検出し、ポリシーコードの送信要求をＲＦＩＤタグ５ａ，ｂに送信する。【００５７】  このようにメールを受信するタイミングは、移動端末３ａ毎に異なる。そのため、制御ポリシーが統一された領域内に複数の移動端末がある場合、複数の移動端末が一斉にＲＦＩＤタグ５ａ，ｂにポリシーコードの送信要求を要求する確率は減少する。即ち、移動端末３ａのＲＦＩＤタグ５ａ，ｂにポリシーコードの送信要求を送信するタイミングがずれる。従って、ポリシーコードの送信要求同士の衝突を回避することができる。【００５８】    （３−３）ユーザからの指示を検知した場合
移動端末３ａには、通話の発信ボタン、メールの送信ボタン及びカメラ機能のシャッターボタン等が設けられているとする。“ユーザからの指示”とは、これらのボタンがユーザにより押下された場合が該当する。移動端末３ａは、これらのボタンがユーザにより押下されたことを検知する第１検知部（図示せず）を含む。第１検知部がユーザによるボタンの押下を検知すると、送信部３２は各ボタンに該当する機能の動作が開始するのを中断し、ポリシーコードの送信要求をＲＦＩＤタグ５ａ，ｂに送信する。例えば、移動端末３ａはＴＶ機能を既に起動しているとする。ユーザがＴＶ機能の音量を大きくするボタンを押下すると、送信部３２はＴＶ機能の音量を大きくさせる動作を中断させ、ポリシーコードの送信要求をＲＦＩＤタグ５ａ，ｂに送信する。ＲＦＩＤタグ５ａ，ｂのデータ内のポリシーＩＤが示す制御ポリシーが“消音にする”である場合は、移動端末３ａは音量ボタンが押下されても音が出ない状態に自端末を制御する。【００５９】  このように、移動端末３ａのユーザが各ボタンを押下するタイミングは各々の移動端末により異なる。そのため、移動端末が一斉にＲＦＩＤタグ５ａ，ｂにポリシーコードの送信要求を送信する確率は減少する。従って、ポリシーコードの送信要求同士の衝突を回避することができる。【００６０】    （３−４）移動端末３ａ内のアプリケーションの起動を検知した場合
この移動端末３ａの記憶部３３は、カメラ機能やＴＶ機能、音楽機能、インターネット機能等のアプリケーションを更に記憶している。移動端末３ａは、アプリケーションがユーザによりメニュー画面等において選択され起動したことを検知する第２検知部（図示せず）を含む。第２検知部がアプリケーションの起動を検知すると、送信部３２はポリシーコードの送信要求をＲＦＩＤタグ５ａ，ｂに送信する。例えば、移動端末３ａは音楽のアプリケーションを有しているとする。移動端末３ａは音楽のアプリケーションを起動させると、第２検知部はこれを検知し、送信部３２は、ポリシーコードの送信要求をＲＦＩＤタグ５ａ，ｂに送信する。ＲＦＩＤタグ５ａ，ｂのデータ内のポリシーＩＤが示す制御ポリシーが“音楽の再生をオフする”であるとする。この場合は、移動端末３ａは再生出来ない状態に自端末を制御する。【００６１】  このように、移動端末３ａのユーザがアプリケーションを起動させたタイミングは各々の移動端末により異なる。そのため、移動端末が一斉にＲＦＩＤタグ５ａ，ｂにポリシーコードの送信要求を送信する確率は減少する。従って、ポリシーコードの送信要求同士の衝突を回避することができる。【００６２】  尚、上述では４つのイベントについて説明したが、これに限定されない。即ち、本発明は、自端末に所定のイベントが生じた任意のタイミングで、送信部３２が送信要求をＲＦＩＤタグに送信すれば良い。【００６３】  （４）一連の動作フロー
次に、本発明の第１実施形態に係る移動端末を用いた制御ポリシー特定システムの一連の動作について説明する。図５は、第１実施形態に係る移動端末３ａを用いた制御ポリシー特定システム１の動作フローチャートである。以下より、移動端末３ａのユーザが、車内では移動端末の電源をオフにするよう促している電車２に乗車した場合を例にとる。尚、移動端末３ａのユーザが電車２に乗車した際、移動端末３ａは電源がオンの状態であるとする。【００６４】  先ず、移動端末３ａのユーザが、ＲＦＩＤタグ５ａが貼付されたポスター４が車内に掲示されている電車２に乗車したとする。【００６５】  電車２の車外に位置する通信端末が移動端末３ａに向けて発呼すると（＃１）、移動端末３ａの通信部３７は着信を検出する（＃２）。すると、移動端末３ａの送信部３２は、通信部３７による着信をユーザに知らせる処理を中断させて、電車２内のＲＦＩＤタグ５ａへポリシーコードの送信要求を送信する（＃３）。移動端末３ａからポリシーコードの送信要求を受信したＲＦＩＤタグ５ａは、ポリシーコードを送信する（＃４）。ここで、ポリシーコードは、電車２内の制御ポリシーを識別するポリシーＩＤ“０１ｈ”を含むとする。移動端末３ａの受信部３１はこれを受信する（＃５）。【００６６】  移動端末３ａの判断部３４は、受信部３１が受信したポリシーコード内に、記憶部３３が記憶しているポリシー情報内のポリシーＩＤと一致するポリシーＩＤがあるか否かを検索する（＃７）。受信したポリシーコード内のポリシーＩＤ“０１ｈ”は、記憶部３３のポリシー情報内のポリシーＩＤ“０１ｈ”と一致する。従って、移動端末３ａの判断部３４は、記憶部３３のポリシー情報の中からポリシーＩＤ“０１ｈ”が示す制御ポリシー“電源をＯＦＦする”を抽出し、制御部３６に送信する。【００６７】  移動端末３ａの制御部３６は、記憶部３３内から抽出した制御ポリシー“電源をＯＦＦする”に基づいて、自端末の電源をオフさせる（＃８）。すると、移動端末３ａは通信部３７の電源もオフの状態となるため、移動端末３ａと通信端末との間のコネクションは切断される。通信端末は、移動端末３ａが通話出来ない状態である旨を基地局から受信する（＃９）。【００６８】  次いで、図６に示すように、電源をオフしている移動端末３ａが電車２から下車した場合について、図７を用いて詳述する。図６は、本発明の第１実施形態に係る制御ポリシー特定システムの概略図であって、移動端末３ａが電車２の車外に移動した場合を示している。図７は、図６に示す制御ポリシー特定システム１の動作フローチャートである。【００６９】  移動端末３ａのユーザが電車２から下車し、ＲＦＩＤタグ５ｂが設置されている領域へ移動したとする。移動端末３ａの電源はオフであるため通信はできない状態にある。従って、電源がオフの状態時は、ポリシーコードの受信だけ常にできるようにするため、移動端末３ａは送信要求及び受信を行うＲＦＩＤタグリーダの機能のみを別の電源を用いてオンさせるとする。また、ＲＦＩＤタグ５ｂが設置されている領域は通話可能であって、ＲＦＩＤタグ５ｂは制御ポリシー“電源をオンする”を示すポリシーＩＤ“０２ｈ”を含むポリシーコードを有しているとする。【００７０】  移動端末３ａの送信部３２は所定の時間が経過する度に（＃１１）、ポリシーコードの送信要求を送信する（＃１２）。移動端末３ａからポリシーコードの送信要求を受信したＲＦＩＤタグ５ｂは、“電源をオンする”の制御ポリシーを識別するポリシーＩＤ“０２ｈ”を含んだポリシーコードを、移動端末３ａへ送信する（＃１３）。移動端末３ａの受信部３１はこれを受信する（＃１４）。【００７１】  移動端末の判断部３４は、受信部３１が受信したポリシーコード内に、記憶部３３が記憶しているポリシー情報内のポリシーＩＤと一致するポリシーＩＤがあるか否かを検索する（＃１５）。受信したポリシーコードはポリシーＩＤ“０２ｈ”を有しており、記憶部３３のポリシー情報内のポリシーＩＤ“０２ｈ”と一致する。従って、移動端末３ａの判断部３４は、記憶部３３のポリシー情報の中からポリシーＩＤ“０２ｈ”が示す制御ポリシー“電源をＯＮする”を抽出し、比較部３６に送信する。【００７２】  移動端末３ａの比較部３５は、記憶部３３が記憶しているカレントポリシーＩＤと、抽出したポリシーＩＤ“０２ｈ”とを比較する（＃１６）。ここで、移動端末３ａは電源をオフした状態であるため、カレントポリシーＩＤは“０１ｈ”である。従って、比較部３５は、抽出されたポリシーＩＤ“０２ｈ”とカレントポリシーＩＤ“０１ｈ”とは異なると判断する。比較部３５は、比較結果を記憶部３３及び制御部３６に送信する。記憶部３３は、比較結果に基づいて、カレントポリシーＩＤを示すフラグの位置をカレントポリシーＩＤ“０１ｈ”から“０２ｈ”に変更する。【００７３】  移動端末３ａの制御部３６は、ポリシーＩＤ“０２ｈ”に対応する制御ポリシー“電源をＯＮする”に基づいて、自端末の電源をオンさせる（＃１７）。従って、移動端末３ａと通信端末との間のコネクションは確立される。これにより、移動端末３ａと通信端末とは通話を行うことができる（＃１８、１９）。【００７４】  尚、上述では、ＲＦＩＤタグ５ａ，ｂはそれぞれ“電源をＯＦＦする”“電源をＯＮする”の制御ポリシーを識別するポリシーＩＤを記憶しているとしたが、これに限定されない。例えば、ＲＦＩＤタグ５ａ，ｂはそれぞれ“マナーモードにする”“サイレントモードにする”の制御ポリシーを識別するポリシーＩＤを記憶していてもよい。この場合、移動端末３ａの記憶部３３は制御ポリシー“マナーモードにする”“サイレントモードにする”に対応するポリシーＩＤを記憶しているとする。これにより、移動端末３ａはマナーモードやサイレントモードにすることで、電車２内において着信音を出さずに済む。【００７５】  （５）効果
この移動端末３ａ，ｂは、特定の領域内において決められた制御ポリシーに従って自端末を制御する。従って、この移動端末３ａ，ｂのユーザは、決められた社会秩序に反することなく、特定の領域内において決められた制御ポリシーに従うことができる。また、移動端末３ａ，ｂは、自端末に所定のイベントが生じた任意のタイミングで、ポリシーＩＤを含むポリシーコードの送信要求をＲＦＩＤタグ５ａ，ｂに送信する。自端末に所定のイベントが生じるタイミングは移動端末毎に異なる。そのため、移動端末３ａ，ｂが一斉にＲＦＩＤタグ５ａ，ｂのポリシーＩＤを含むポリシーコードを受信する確率が減少する。即ち、移動端末３ａ，ｂがＲＦＩＤタグ５ａ，ｂにポリシーコードの送信要求を送信するタイミングはずれる。従って、ポリシーコードの送信要求同士の衝突を回避することができる。【００７６】  尚、本実施形態の移動端末３ａがＲＦＩＤタグのない領域に位置している場合は、例えば以下の動作を行う。ＲＦＩＤタグが設置されていない領域では、移動端末３ａの送信部３２がポリシーＩＤを含むポリシーコードの送信要求を送信しても、受信部３１はポリシーコードを取得することができない。そこで、移動端末３ａの受信部３１は、ポリシーコードの送信要求を送信してから所定の期間待機する。受信部３１が所定の期間にポリシーコードを受信しない場合は、ＲＦＩＤタグが自端末付近にいないと判断する。そして移動端末３ａの記憶部３３はカレント制御ポリシー及びカレントポリシーＩＤを示すフラグを消去し、制御部３６はユーザからの指示を受け付ける状態に制御する。これにより、移動端末３ａはユーザからの指示に基づいて、例えば電源をオンする等の制御を行う。【００７７】  ＜第２実施形態＞
（１）システムの構成
図８は、本発明の第２実施形態に係る制御ポリシー特定システムの構成図である。第２実施形態は、コンサート会場１０２内のカメラ機能付き移動端末１０３ａ〜ｄに、撮影禁止を強制するシステムを例にとる。図８の制御ポリシー特定システム１０１は、コンサート会場１０２内のポスター１０４ａ〜ｃとＲＦＩＤタグ１０５ａ〜ｃとを含む。ポスター１０４ａ〜ｃは、コンサート会場１０２内の移動端末１０３ａ〜ｄに、コンサート会場１０２内のマナーを強制するための制御ポリシーを掲示したものであって、ＲＦＩＤタグ１０５ａ〜ｃが貼付されている。ポスター１０４ａ〜ｃには、コンサート会場１０２内におけるマナー“撮影禁止”が掲載されている。ＲＦＩＤタグ１０５ａ〜ｃは、コンサート会場１０２内の制御ポリシー“カメラ機能をオフする”を特定するためのポリシーＩＤ“０５ｈ”等を含むポリシーコードを記憶している。ＲＦＩＤタグ１０５ａ〜ｃは、移動端末１０３ａ〜ｄそれぞれにポリシーコードを送信する。尚、本実施形態に係るＲＦＩＤタグ１０５ａ〜ｃは、内部に電源を備えており、自発的にポリシーコードを送信するアクティブタグである場合を例にとる。ここで、ＲＦＩＤタグ１０５ａ〜ｃが記憶しているポリシーコードの情報の種類については、第１実施形態の図２と同様であるため省略する。【００７８】  移動端末１０３ａ〜ｄは、ＲＦＩＤタグ１０５ａ〜ｃからポリシーコードを受信すると、これに基づいてコンサート会場１０２内の制御ポリシーを特定し、特定した制御ポリシーに基づいて自端末の制御を行う。【００７９】  尚、本実施形態では、ＲＦＩＤタグ１０５ａ〜ｃはポスター１０４ａ〜ｃに貼付されているとしたが、これに限定されない。ＲＦＩＤタグ１０５ａ〜ｃは、コンサート会場１０２内の制御ポリシーに対応するポリシーＩＤを、コンサート会場１０２内の移動端末１０３ａ〜ｄに対し送信できる場所であれば、どこに設置されてもよい。【００８０】  （２）機能
次に、本発明の第２実施形態に係る移動端末１０３ａ〜ｄの機能について説明する。ここで、移動端末１０３ａ〜ｄは同じ機能構成を持つため、以下より移動端末１０３ａについて説明する。図９は、本発明の第２実施形態に係る移動端末１０３ａの機能構成図である。本実施形態に係る移動端末１０３ａは、第１実施形態に係る移動端末３ａの機能において、送信部を含まない機能構成を有する。即ち、本発明の第２実施形態に係る移動端末１０３ａ〜ｄは、受信部１３１、記憶部１３３、判断部１３４、比較部１３５、制御部１３６及び通信部１３７を含む。【００８１】  受信部１３１は、ＲＦＩＤタグ１０５ａ〜ｃからポリシーコードを含むデータを受信する。【００８２】  記憶部１３３は、ポリシー情報を記憶している。ポリシー情報は、移動端末を制御させる制御ポリシーと、該制御ポリシーを識別するポリシーＩＤとを１レコードとして記憶している。図１０は、記憶部１３３が記憶しているポリシー情報の概念図である。図１０の記憶部１３３は、第１実施形態の記憶部３３が記憶しているポリシー情報に加え、ポリシーＩＤ“０５ｈ”と制御ポリシー“カメラ機能をＯＦＦにする”とを対応づけて更に記憶している。また、記憶部１３３は、カレント制御ポリシーを判別可能に記憶している。例えば、図１０に示すように、記憶部１３３は、カレント制御ポリシーを識別するためのフラグを更に記憶している。フラグは、ポリシー情報のうち、どれがカレント制御ポリシーのレコードかを示す。フラグの位置は、カレント制御ポリシーの変更に伴い変化する。【００８３】  判断部１３４は、記憶部１３３が記憶しているポリシー識別子の何れかが、ＲＦＩＤタグ１０５ａ，ｂから受信したデータに含まれているか否かを判断する。また、判断部１３４は、受信部１３１がデータを受信する度に、記憶部１３３が記憶しているポリシーＩＤのいずれかが新たに受信したデータに含まれているか否かを判断する。そして、判断部１３４は、判断結果を比較部１３５及び制御部１３６へ送信する。【００８４】  判断部１３４が、記憶しているポリシー識別子のいずれかが新たに受信したデータに含まれていると判断すると、比較部１３５は、新たに受信したポリシーＩＤと記憶部１３３が記憶しているカレントポリシーＩＤとを比較し、一致するか否かを判断する。そして、比較部１３５は、比較結果を制御部１３６及び記憶部１３３へ送信する。例えば、比較結果が不一致である場合は、記憶部１３３はカレントポリシーＩＤを示すフラグの位置を変更する。【００８５】  制御部１３６は、受信部１３１が受信したポリシーＩＤに基づいて自端末の制御を行う。また、カレントポリシーＩＤが示す制御ポリシーが変更される度に、制御部１３６は更新後のカレント制御ポリシーに基づいて自端末を制御する。【００８６】  通信部１３７は、他の通信端末との通信を行う。【００８７】  （３）一連の動作フロー
次に、本発明の第２実施形態に係る移動端末を用いた制御ポリシー特定システムの一連の動作について説明する。図１１は、第２実施形態に係る移動端末１０３ａ、ｂを用いた制御ポリシー特定システムの動作フローチャートである。以下より、説明を容易にするために、移動端末１０３ａ〜ｄのうち移動端末１０３ａ，ｂと、ＲＦＩＤタグ１０５ａ〜ｃのうちＲＦＩＤタグ１０５ａ，ｂとの動作について説明する。始めに、ユーザの移動端末１０３ａ、ｂは電源がオンした状態であるとする。【００８８】  先ず、移動端末１０３ａのユーザが、ＲＦＩＤタグ１０５ａ，ｂが貼付されたポスター１０４ａ，ｂが館内に掲示されているコンサート会場１０２に入場したとする。尚、コンサート会場１０２内では、アクティブタグであるＲＦＩＤタグ１０５ａ，ｂが、制御ポリシー“カメラ機能をＯＦＦにする”を識別するポリシーＩＤ“０５ｈ”を含むポリシーコードを常時送信しているとする（＃１０１，１０２）。【００８９】  移動端末１０３ａの受信部１３１は、ＲＦＩＤタグ１０５ａが常に送信しているポリシーコードを受信する（＃１０３）。【００９０】  移動端末１０３ａの判断部１３４は、受信部１３１が受信したポリシーコード内に、記憶部１３３が記憶しているポリシー情報内のポリシーＩＤと一致するポリシーＩＤがあるか否かを判断する（＃１０４）。受信したポリシーコード内のポリシーＩＤ“０５ｈ”は、記憶部１３３のポリシー情報内のポリシーＩＤ“０５ｈ”と一致する。従って、移動端末１０３ａの判断部１３４は、記憶部１３３のポリシー情報の中からポリシーＩＤ“０５ｈ”が示す制御ポリシー“カメラ機能をＯＦＦにする”を抽出し、制御部１３６に送信する。【００９１】  移動端末１０３ａの制御部１３６は、記憶部１３３内から抽出した制御ポリシー“カメラ機能をＯＦＦにする”に基づいて、カメラ機能をオフさせる（＃１０５）。“カメラ機能をオフさせる”とは、例えばユーザがカメラ機能のアプリケーションを起動させるためのボタンを押下しても、移動端末１０３ａの制御部１３６はカメラ機能のアプリケーションを起動させないように制御する。また、既にカメラ機能が起動している移動端末１０３ａでは、制御部１３６はカメラ機能のアプリケーションを閉じてもよい。または、制御部１３６は、既にカメラ機能が起動している移動端末１０３ａでは、ユーザによりカメラのシャッターが押下されても撮影できないように制御してもよい。【００９２】  次いで、移動端末１０３ａの受信部１３１は、ＲＦＩＤタグ１０５ｂが常に送信しているポリシーコードを受信したとする（＃１０６）。【００９３】  移動端末１０３ａの判断部１３４は、受信部１３１が受信したポリシーコード内に、記憶部１３３が記憶しているポリシー情報内のポリシーＩＤと一致するポリシーＩＤがあるか否かを判断する（＃１０７）。受信したポリシーコード内のポリシーＩＤ“０５ｈ”は、記憶部１３３のポリシー情報内のポリシーＩＤ“０５ｈ”と一致する。従って、移動端末１０３ａの判断部１３４は、記憶部１３３のポリシー情報の中からポリシーＩＤ“０５ｈ”と、これに該当する制御ポリシー“カメラ機能をＯＦＦにする”とを抽出し、比較部１３６に送信する。【００９４】  移動端末１０３ａの比較部１３５は、記憶部１３３が記憶しているカレントポリシーＩＤと、抽出したポリシーＩＤ“０５ｈ”とを比較する（＃１０８）。このとき、移動端末１０３ａはカメラ機能をオフした状態であるため、カレントポリシーＩＤは“０５ｈ”である。従って、比較部１３５は、抽出されたポリシーＩＤ“０５ｈ”とカレントポリシーＩＤ“０５ｈ”とは同一であると判断する。比較部１３５は、同一である旨の比較結果を制御部１３６に送信する。制御部１３６は、比較結果を受信すると、移動端末１０３ａの状態を維持する。【００９５】  次に、移動端末１０３ｂのユーザが、ＲＦＩＤタグ１０５ａ，ｂが貼付されたポスター１０４ａ，ｂが館内に掲示されているコンサート会場１０２に入場したとする。【００９６】  移動端末１０３ｂの受信部１３１は、ＲＦＩＤタグ１０５ａが常に送信しているポリシーコードを受信する（＃１０９）。【００９７】  移動端末１０３ｂの判断部１３４は、受信部１３１が受信したポリシーコード内に、記憶部１３３が記憶しているポリシー情報内のポリシーＩＤと一致するポリシーＩＤがあるか否かを判断する（＃１１０）。受信したポリシーコード内のポリシーＩＤ“０５ｈ”は、記憶部１３３のポリシー情報内のポリシーＩＤ“０５ｈ”と一致する。従って、移動端末１０３ｂの判断部１３４は、記憶部１３３のポリシー情報の中からポリシーＩＤ“０５ｈ”が示す制御ポリシー“カメラ機能をＯＦＦにする”を抽出し、制御部１３６に送信する。【００９８】  移動端末１０３ｂの制御部１３６は、記憶部１３３内から抽出した制御ポリシー“カメラ機能をＯＦＦにする”に基づいて、カメラ機能をオフさせる（＃１１１）。“カメラ機能をオフさせる”とは、例えばユーザがカメラ機能のアプリケーションを起動させるためのボタンを押下しても、移動端末１０３ｂの制御部１３６はカメラ機能のアプリケーションを起動させないように制御する。また、既にカメラ機能が起動している移動端末１０３ｂでは、制御部１３６はカメラ機能のアプリケーションを閉じてもよい。または、制御部１３６は、既にカメラ機能が起動している移動端末１０３ｂでは、ユーザによりカメラのシャッターが押下されても撮影できないように制御してもよい。【００９９】  次いで、移動端末１０３ｂの受信部１３１は、ＲＦＩＤタグ１０５ａが常に送信しているポリシーコードを受信したとする（＃１１２）。【０１００】  移動端末１０３ｂの判断部１３４は、受信部１３１が受信したポリシーコード内に、記憶部１３３が記憶しているポリシー情報内のポリシーＩＤと一致するポリシーＩＤがあるか否かを判断する（＃１１３）。受信したポリシーコード内のポリシーＩＤ“０５ｈ”は、記憶部１３３のポリシー情報内のポリシーＩＤ“０５ｈ”と一致する。従って、移動端末１０３ｂの判断部１３４は、記憶部１３３のポリシー情報の中からポリシーＩＤ“０５ｈ”と、これに該当する制御ポリシー“カメラ機能をＯＦＦにする”とを抽出し、比較部１３６に送信する。【０１０１】  移動端末１０３ｂの比較部１３５は、記憶部１３３が記憶しているカレントポリシーＩＤと、抽出したポリシーＩＤ“０５ｈ”とを比較する（＃１１４）。このとき、移動端末１��３ｂはカメラ機能をオフした状態であるため、カレントポリシーＩＤは“０５ｈ”である。従って、比較部１３５は、抽出されたポリシーＩＤ子“０５ｈ”とカレントポリシーＩＤ“０５ｈ”とは同一であると判断する。比較部１３５は、同一である旨の比較結果を制御部１３６に送信する。制御部１３６は、比較結果を受信すると、移動端末１０３ｂの状態を維持する。【０１０２】  （４）効果
本実施形態に係る制御ポリシー特定システムは、ＲＦＩＤタグ１０５ａ〜ｃがアクティブタグである場合でも適用できる。そして、本実施形態に係る制御ポリシー特定システムは、複数のＲＦＩＤタグ１０５ａ〜ｃ及び複数の移動端末１０３ａ〜ｄに対して適用できる。本実施形態に係る移動端末１０３ａ〜ｄは、特定の領域内における決められた制御ポリシーに従って自端末を制御する。従って、移動端末１０３ａ〜ｄのユーザは、決められた社会秩序に反することなく、特定の領域内において決められた制御ポリシーに従うことができる。【０１０３】  ＜第３実施形態＞
（１）システムの構成
図１２は、第３実施形態に係る制御ポリシー特定システムの構成図である。第３実施形態では、複数のＲＦＩＤタグ２０２ａ〜ｄは、受信可能エリアを考慮して図１２に示すように配置されている。移動端末２０１は、複数のＲＦＩＤタグ２０２ａ〜ｄの受信可能エリアが重複するポイントに位置している。ここで、受信可能エリアとは、ＲＦＩＤタグ２０２ａ〜ｄが送信したデータを移動端末２０１が受信可能な領域のことを言う。従って、移動端末２０１はＲＦＩＤタグ２０２ａ〜ｄ全てからデータを受信することができる。また、説明を簡単にするため、複数のＲＦＩＤタグ２０２ａ〜ｄの受信可能エリアが重複するポイントに位置する移動端末は１つの場合を例にとる。【０１０４】  尚、本実施形態では、第１実施形態と同様に、ＲＦＩＤタグ２０２ａ〜ｄが受信した搬送波を電力に変換してＩＤを送信するパッシブタグである場合を想定している。【０１０５】  （２）移動端末
次に、本発明の第３実施形態に係る移動端末２０１の機能について説明する。第３実施形態に係る移動端末２０１の機能構成は、第１実施形態に係る移動端末３ａと同様である。即ち、移動端末２０１は、受信部、送信部、記憶部、判断部、比較部、制御部及び通信部を含む。【０１０６】  受信部は、ＲＦＩＤタグ２０２ａ〜ｄからポリシーコードを含むデータを受信する。【０１０７】  送信部は、自端末に所定のイベントが生じた任意のタイミングで、ポリシーＩＤを含むポリシーコードの送信要求をＲＦＩＤタグ２０２ａ〜ｄに送信する。そして、送信部は、ＲＦＩＤタグ２０２ａ〜ｄに電力を供給する搬送波を送信する。尚、本実施形態では、送信部はポリシーコードの送信要求を送信し、搬送波を任意の期間送信し続ける。【０１０８】  記憶部は、ポリシー情報を記憶している。ポリシー情報は、移動端末を制御させる制御ポリシーと、該制御ポリシーを識別するポリシーＩＤとを１レコードとして記憶している。また、記憶部は、カレント制御ポリシーを判別可能に記憶している。フラグは、ポリシー情報のうち、どれがカレント制御ポリシーのレコードかを示す。本実施形態は、カレント制御ポリシーの判別方法として、例えばフラグを用いている。フラグの位置は、カレント制御ポリシーの変更に伴い変化する。【０１０９】  判断部は、記憶部が記憶しているポリシー識別子の何れかが、ＲＦＩＤタグ２０２ａ〜ｄから受信したデータに含まれているか否かを判断する。また、判断部は、受信部がデータを受信する度に、記憶部が記憶しているポリシーＩＤのいずれかが新たに受信したデータに含まれているか否かを判断する。そして、判断部は、判断結果を比較部及び制御部へ送信する。【０１１０】  判断部が、記憶しているポリシー識別子のいずれかが新たに受信したデータに含まれていると判断すると、比較部は、新たに受信したポリシーＩＤと記憶部が記憶しているカレントポリシーＩＤとを比較し、一致するか否かを判断する。そして、比較部は、比較結果を制御部及び記憶部へ送信する。例えば、比較結果が不一致である場合は、記憶部はカレントポリシーＩＤを示すフラグの位置を変更する。【０１１１】  制御部は、受信部が受信したポリシーＩＤに基づいて自端末の制御を行う。また、カレントポリシーＩＤが示す制御ポリシーが変更される度に、制御部は更新後のカレント制御ポリシーに基づいて自端末を制御する。【０１１２】  通信部は、他の通信端末との通信を行う。【０１１３】  （３）ＲＦＩＤタグ
各ＲＦＩＤタグ２０２ａ〜ｄはポリシーコードを記憶している。各ポリシーコード内の情報の種類は、第１実施形態の図２と同様である。即ち、各ポリシーコードは、ポリシーＩＤと、該当機器コードと、シーケンスナンバーとを含む。ポリシーＩＤは、ＲＦＩＤタグ２０２ａ〜ｄが位置している領域内の制御ポリシーを識別する。該当機器コードは、制御ポリシーを強制する対象の機器を示す。シーケンスナンバーは、各ＲＦＩＤタグ２０２ａ〜ｄを識別するための固有情報である。以下より、ＲＦＩＤタグ２０２ａ〜ｄのシーケンスナンバーを、それぞれ“００”、“０１”、“１０”、“１１”とする。【０１１４】  各ＲＦＩＤタグ２０２ａ〜ｄは、各々のシーケンスナンバーに基づいて、ポリシーコードを送信するスロットを生成する生成部を含む。そして各ＲＦＩＤタグ２０２ａ〜ｄは、生成部が生成したスロットを用いて、ポリシーコードを順次に時分割に送信する送信部を含む。即ち、各ＲＦＩＤタグ２０２ａ〜ｄは、ポリシーコードの送信要求を受信してからポリシーコードを送信するまでの待機時間を、シーケンスナンバーに基づいて設定する。例えば、ＲＦＩＤタグ２０２ａでは、シーケンスナンバー“００”に基づいて、ポリシーコードの送信要求を受信してからポリシーコードを送信するまでの待機時間を“０”スロットと設定する。ＲＦＩＤタグ２０２ｂでは、シーケンスナンバー“０１”に基づいて、ポリシーコードの送信要求を受信してからポリシーコードを送信するまでの待機時間を“１”スロットと設定する。ＲＦＩＤタグ２０２ｃでは、シーケンスナンバー“１０”に基づいて、ポリシーコードの送信要求を受信してからポリシーコードを送信するまでの待機時間を“２”スロットと設定する。ＲＦＩＤタグ２０２ｄでは、シーケンスナンバー“１１”に基づいて、ポリシーコードの送信要求を受信してからポリシーコードを送信するまでの待機時間を“３”スロットと設定する。言い換えると、各ＲＦＩＤタグ２０２ａ〜ｄは、他のＲＦＩＤタグがポリシーコードを送信している期間と重畳しないように送信期間を設定する。【０１１５】  （３）動作フロー
次に、上述した移動端末２０１は複数のＲＦＩＤタグ２０２ａ〜ｄからポリシーコードを受信する動作について説明する。図１３は、第３実施形態に係る移動端末２０１と複数のＲＦＩＤタグ２０２ａ〜ｄとの送受信の動作を示すタイミングチャートである。【０１１６】  先ず、移動端末２０１はポリシーコードの送信要求を送信し、搬送波を送信し続ける。ＲＦＩＤタグ２０２ａは、移動端末２０１からポリシーコードの送信要求を受信すると、待機せずにポリシーコードを送信する。ＲＦＩＤタグ２０２ｂは、移動端末２０１からポリシーコードの送信要求を受信すると、１スロット待機してからポリシーコードを送信する。ＲＦＩＤタグ２０２ｃは、移動端末２０１からポリシーコードの送信要求を受信すると、２スロット待機してからポリシーコードを送信する。ＲＦＩＤタグ２０２ｄは、移動端末２０１からポリシーコードの送信要求を受信すると、３スロット待機してからポリシーコードを送信する。移動端末２０１は、ＲＦＩＤタグ２０２ａ〜ｄの各ポリシーコードを順次に受信する。【０１１７】  次いで、移動端末２０１は、受信した各ポリシーコード内からポリシーＩＤを検索及び比較し、各ポリシーＩＤに対応する制御ポリシーに従い自端末を制御する。【０１１８】  （４）効果
上述した方法によると、ＲＦＩＤタグ２０２ａ〜ｄは順次にポリシーコードを送信し、移動端末２０１はこれを受信する。これにより、ＲＦＩＤタグ２０２ａ〜ｄが送信するポリシーコード同士の衝突を回避することができる。【０１１９】  また、本実施形態では移動端末が１つの場合について述べたが、ＲＦＩＤタグ２０２ａ〜ｄの受信機能エリア内には複数の移動端末が位置していてもよい。【０１２０】  本実施形態では、ＲＦＩＤタグ２０２ａ〜ｄはパッシブタグを想定しているが、アクティブタグでも適用できる。この場合、移動端末２０２は、送信要求及び搬送波を送信する送信部がなくてもよい。尚、アクティブタグであるＲＦＩＤタグ２０２ａ〜ｄは、各々のＲＦＩＤタグ２０２ａ〜ｄと通信を行うための通信インターフェースを介して接続されている。ＲＦＩＤタグ２０２ａ〜ｄは、通信インターフェースを介してポリシーコードを送信するタイミングを互いに決定し、決定されたタイミングに基づいてポリシーコードを送信するためのスロットを生成する。即ち、ＲＦＩＤタグ２０２ａ〜ｄは、常に各ポリシーコードを生成したスロットで時分割送信している。【０１２１】  また、本実施形態に係るＲＦＩＤタグ２０２ａ〜ｄは、セミパッシブタグでも適用できる。セミパッシブタグは電源を内蔵している。セミパッシブタグであるＲＦＩＤタグ２０２ａ〜ｄは、移動端末２０２からの送信要求を受信すると、内蔵している電源を用いてポリシーコードを時分割に送信する。【０１２２】  また、ＲＦＩＤタグ２０２ａ〜ｄが制御ポリシーの統一された領域内に位置しており、同一のポリシーＩＤを含むポリシーコードを記憶している場合は、以下のようなシステムを用いても良い。まず移動端末２０１は、ポリシーコードの送信要求を送信する。移動端末２０１からポリシーコード送信要求を受信したＲＦＩＤタグ２０２ａ〜ｄは、ポリシーコードを時分割に送信する。移動端末２０１は、受信部がＲＦＩＤタグ２０２ａ〜ｄのうち少なくとも１つのＲＦＩＤタグからポリシーコードを受信すると、判断部は送信部によるポリシーコードの送信要求を停止する。言い換えると、移動端末２０１は、最初に送られてきたポリシーコードを受信すると、それ以降に送られてきたポリシーコードを受信しない。尚、送信要求は搬送波であってもよい。これにより、移動端末２０１は複数のＲＦＩＤタグ２０２ａ〜ｄから同一のポリシーＩＤを含むポリシーコードを複数回受信しなくて済む。即ち、移動端末２０１は、同じポリシーコードを検索及び受信する必要がない。従って、移動端末２０１の消費電力を抑えることができる。【０１２３】  尚、上述したシステムは、同じ領域内に複数の移動端末が位置している場合にも好適である。この場合、各移動端末がポリシーコードを受信する時間は“１スロット分”である。各移動端末がポリシーコードを受信する時間は、ＲＦＩＤタグ２０２ａ〜ｄからのポリシーコード全てを受信する時間に比べて短い。すると、複数の移動端末におけるポリシーコードの送信要求同士が衝突する確率が低くなる。従って、送信要求同士の衝突を回避することができる。【０１２４】  ＜第４実施形態＞
（１）システムの構成
図１４は、第４実施形態に係る制御ポリシー特定システムの構成図である。第４実施形態は、例えば会社用の移動端末３０３及び社内の固定電話３０５に、本発明の制御ポリシー特定システム３０１を用いた例である。会社の社内３０２には、移動端末３０３、社内ＰＢＸ（Ｐｒｉｖａｔｅ  Ｂｒａｎｃｈ  ｅＸｃｈａｎｇｅ）３０４、固定電話３０５、基地局３０６及びＲＦＩＤタグ３０７が備えられている。社内ＰＢＸ３０４は、社内の内線電話接続や公衆回線への接続を行う企業内の電話交換機である。社内ＰＢＸ３０４には、固定電話３０５及び移動端末３０３と通信を行う基地局３０６が接続されている。また、会社の社内３０２にはパッシブタグであるＲＦＩＤタグ３０７が設置されている。ＲＦＩＤタグ３０７は、会社の社内３０２の制御ポリシーを識別するためのポリシーＩＤを備えたポリシーコードを記憶している。ここで、ＲＦＩＤタグ３０７が記憶しているポリシーコードは、制御ポリシー“移動端末の着信を固定電話３０５へ自動転送する”と、ポリシーＩＤ“０６ｈ”とを対応づけて記憶しているとする。また、第１実施形態と同様、本実施形態では、ＲＦＩＤタグ３０７は受信した搬送波を電力に変換しＩＤを送信するパッシブタグである場合を想定している。【０１２５】  移動端末３０３は、ＲＦＩＤタグ３０７からポリシーコードを受信すると、これに基づいて会社の社内３０２の制御ポリシーを特定し、特定した制御ポリシーに基づいて自端末の制御を行う。【０１２６】  （２）移動端末
次に、本発明の第４実施形態に係る移動端末３０３の機能について説明する。移動端末３０３の機能構成は、第１実施形態に係る移動端末３ａと同様である。即ち、移動端末３０３ａは、受信部、送信部、記憶部、判断部、比較部、制御部及び通信部を含む。【０１２７】  受信部は、ＲＦＩＤタグ３０７からポリシーコードを含むデータを受信する。【０１２８】  送信部は、自端末に着信が生じたタイミングで、ポリシーＩＤを含むポリシーコードの送信要求をＲＦＩＤタグ３０７に送信する。そして、送信部は、ＲＦＩＤタグ３０７に電力を供給する搬送波を送信する。【０１２９】  記憶部は、ポリシー情報を記憶している。ポリシー情報は移動端末を制御させる制御ポリシーと、該制御ポリシーを識別するポリシーＩＤとを１レコードとして記憶している。図１５は、本実施形態に係るポリシー情報の概念図である。図１５のポリシー情報は、第２実施形態の記憶部３３が記憶している対応情報に加え、更にポリシーＩＤ“０６ｈ”と制御ポリシー“着信を固定電話に自動転送する”とを対応づけて記憶している。また、記憶部は、カレント制御ポリシーを判別可能に記憶している。本実施形態は、カレント制御ポリシーの判別方法として、例えばフラグを用いている。フラグは、ポリシー情報のうち、どれがカレント制御ポリシーのレコードかを示す。フラグの位置は、カレント制御ポリシーの変更に伴い変化する。【０１３０】  判断部は、記憶部が記憶しているポリシー識別子の何れかが、ＲＦＩＤタグ３０７から受信したデータに含まれているか否かを判断する。また、判断部は、受信部がデータを受信する度に、記憶部が記憶しているポリシーＩＤのいずれかが新たに受信したデータに含まれているか否かを判断する。そして、判断部は、判断結果を比較部及び制御部へ送信する。【０１３１】  判断部が、記憶しているポリシー識別子のいずれかが新たに受信したデータに含まれていると判断すると、比較部は、新たに受信したポリシーＩＤと記憶部が記憶しているカレントポリシーＩＤとを比較し、一致するか否かを判断する。そして、比較部は、比較結果を制御部及び記憶部へ送信する。例えば、比較結果が不一致である場合は、記憶部はカレントポリシーＩＤを示すフラグの位置を変更する。【０１３２】  制御部は、受信部が受信したポリシーＩＤに基づいて自端末の制御を行う。また、カレントポリシーＩＤが示す制御ポリシーが変更される度に、制御部は更新後のカレント制御ポリシーに基づいて自端末を制御する。【０１３３】  通信部は、他の通信端末との通信を行う。【０１３４】  （３）一連の動作フロー
次に、第４実施形態に係る制御ポリシー特定システム３０１の一連の動作について説明する。図１６は、第４実施形態に係る制御ポリシー特定システム３０１の動作フローチャートである。はじめに、移動端末３０３ａのカレントポリシーＩＤ及びカレント制御ポリシーは、それぞれ“０４ｈ”“着信可能にする”であるとする。即ち、現在の移動端末３０３は“着信可能”な状態であるとする。【０１３５】  先ず、移動端末３０３のユーザは、会社の社内３０２かつＲＦＩＤタグ３０７の領域内にいるとする。【０１３６】  ＲＦＩＤタグ３０７の領域外に位置する通信端末が移動端末３０３に向けて発呼すると（＃２０１）、移動端末３０３の通信部は着信を検出する（＃２０２）。すると、移動端末３０３の送信部は着信をユーザに知らせる処理を中断させて、会社の社内３０２のＲＦＩＤタグ３０７へポリシーコードの送信要求を送信する（＃２０３）。移動端末３０３からポリシーコードの送信要求を受信したＲＦＩＤタグ３０７は、ポリシーコードを送信する（＃２０４）。移動端末３０３の受信部はこれを受信する（＃２０５）。【０１３７】  移動端末３０３の判断部は、受信部が受信したポリシーコード内に、記憶部が記憶しているポリシー情報内のポリシーＩＤと一致するポリシーＩＤがあるか否かを判断する（＃２０６）。受信したポリシーコードはポリシーＩＤ“０６ｈ”を有しており、記憶部のポリシー情報内のポリシーＩＤ“０６ｈ”と一致する。従って、移動端末３０３の判断部は、記憶部のポリシー情報の中からポリシーＩＤ“０６ｈ”が示す制御ポリシー“着信を固定電話に自動転送する”を抽出し、比較部に送信する。【０１３８】  移動端末３０３の比較部は、記憶部が記憶しているカレントポリシーＩＤと、抽出したポリシーＩＤ“０６ｈ”とを比較する（＃２０７）。ここで、移動端末３０３のカレントポリシーＩＤは“０４ｈ”であるため、比較部は、抽出されたポリシーＩＤ“０６ｈ”とカレントポリシーＩＤ“０４ｈ”とは異なると判断する。比較部は、比較結果を記憶部及び制御部に送信する。記憶部は、比較結果に基づいて、カレントポリシーＩＤを示すフラグの位置をカレントポリシーＩＤ“０４ｈ”から“０６ｈ”に変更する。【０１３９】  移動端末３０３の制御部は、ポリシーＩＤ“０６ｈ”に対応する制御ポリシー“着信を固定電話に自動転送する”に基づいて、通信端末からの着信を社内の固定電話３０５に自動転送する（＃２０８）。すると、社内の固定電話３０５と通信端末との間のコネクションが確立される。これにより、社内の固定電話３０５と通信端末とは通話を行うことができる（＃２０９、２１０）。【０１４０】  （４）効果
本発明に係るＲＦＩＤタグの制御ポリシー特定システムは、会社の社内３０２の固定電話への自動転送システムに適用できる。一般的に、固定電話や移動端末等の通信端末と移動端末３０３との通話料金は、通信端末と固定電話間の通話料金よりも高い。本実施形態のように、本発明の制御ポリシー特定システムを固定電話への自動転送システムとして利用すると、移動端末３０３への着信は固定電話３０５へ転送される。そのため、通信端末と固定電話３０５との間で通話が行われる。従って、通信端末の通話料金は移動端末３０３との通話の場合よりも安くなる。通信端末の所有者が移動端末３０３の所有者、即ち会社である場合は、会社の諸経費を削減することができる。【０１４１】  尚、本実施形態ではＲＦＩＤタグ３０７がパッシブタグである場合について述べたが、アクティブタグであっても適用できる。この場合、移動端末３０３はＲＦＩＤタグ３０７から常に送信されているＩＤを受信し検索及び比較を行い、ポリシーＩＤに対応する制御ポリシーに基づいて自端末を制御する。【０１４２】  ＜その他の実施形態＞
（１）第１例
１つの領域内に、パッシブタグであるＲＦＩＤタグ５０１と、複数の移動端末５０２ａ，ｂとがある場合を考える。この場合は、移動端末５０２ａ，ｂは、ＬＢＴ（Ｌｉｓｔｅｎ  Ｂｅｆｏｒｅ  Ｔａｌｋ）法を用いてＲＦＩＤタグ５０１からポリシーコードを受信してもよい。ＬＢＴ法とは、各移動端末５０２ａ，ｂが、着信等の所定のイベントが生じた任意のタイミングで他の移動端末がＲＦＩＤタグからポリシーコードを受信しているか否かを、電波を用いて調査する方法である。【０１４３】  例えば、他の移動端末５０２ｂがＲＦＩＤタグ５０１からポリシーコードを受信していない場合は、移動端末５０２ａはポリシーコードの送信要求をＲＦＩＤタグ５０１へ送信する。他の移動端末５０２ｂがＲＦＩＤタグ５０１からポリシーコードを受信している場合は、移動端末５０２ａは他の移動端末５０２ｂが受信中のポリシーコードを傍受してもよい。そして、移動端末５０２ａは、傍受したポリシーコード内のポリシーＩＤを判断・比較する。傍受したポリシーＩＤがカレントポリシーＩＤと異なれば、移動端末５０２ａは傍受したポリシーＩＤが示す制御ポリシーに基づいて自端末を制御する。【０１４４】  これにより、各移動端末５０２ａ，ｂの送信部がポリシーコードの送信要求を送信するタイミングが同一であっても、各移動端末５０２ａ，ｂはポリシーコードの送信要求をＲＦＩＤタグ５０１へ一斉に送信しない。即ち、各移動端末５０２ａ，ｂがポリシーコードの送信要求をＲＦＩＤタグ５０１へ送信するタイミングは重畳しない。従って、各移動端末５０２ａ，ｂが送信するポリシーコードの送信要求どうしの衝突を回避することができる。【０１４５】  （２）第２例
１つの領域内に、パッシブタグであるＲＦＩＤタグ６０１と、複数の各移動端末６０２ａ，ｂとがある場合を考える。この場合、各移動端末６０２ａ，ｂがＲＦＩＤタグ６０１からポリシーコードを受信する際に、先ずポリシーコードの“該当機器コード”のみを検索してもよい。すると、各移動端末６０２ａ，ｂの判断部は、受信したポリシーコード内から該当機器コードを検索し、該当機器コードが自端末の機器コードであるか否かを判断する。受信したポリシーコード内の該当機器コードが自端末の機器コードと一致した場合のみ、受信部は残りのポリシーコードの内容、即ちポリシーＩＤを受信する。言い換えると、各移動端末６０２ａ，ｂは、ＲＦＩＤタグ６０１からのポリシーコードが自端末向けであるものだけを受信する。これにより、各移動端末６０２ａ，ｂは自端末向け以外のポリシーコードを取得することがないため、各移動端末６０２ａ，ｂがＲＦＩＤタグ６０１からポリシーコードを受信する時間は短縮される。従って、複数の移動端末６０２ａ，ｂがＲＦＩＤタグ６０１からポリシーコードを受信する時間が重畳することを回避することができる。【０１４６】  （３）第３例
移動端末７０１を所有するユーザが、移動端末７０１におけるデータ受信部分をシールド等で遮蔽した場合を考える。この場合、移動端末７０１はＲＦＩＤタグ７０２からポリシーＩＤを含むポリシーコード等のデータを受信できない。このような場合を想定し、移動端末７０１のデータ受信部分にはセンサを埋め込むとよい。センサは、データ受信部分と該データ受信部分から一番近いものとの距離を検出する。センサの検出した距離が非常に短い場合は、移動端末７０１の制御部は、ユーザがデータ受信部分を遮蔽していると判断する。そして、移動端末７０１は、例えば着信／受信拒否の状態に自端末を制御する。自端末の制御の方法は、ユーザにデータ受信部分の遮蔽解除を促す方法であってもよい。これにより、ユーザが領域内のポリシーに従わない場合を防止することができる。
【産業上の利用可能性】
【０１４７】  本発明は、携帯電話やＰＤＡ等の持ち運びが容易でかつ通信ができる移動端末に適用することができる。また、本発明に係る制御ポリシー特定システムは、病院やコンサート会場、映画館、美術館、電車の社内、会社の社内等の特定のポリシーを有する領域において使用するとよい。
【図１】
2005122625.tif 000002
【図２】
2005122625.tif 000003
【図３】
2005122625.tif 000004
【図４】
2005122625.tif 000005
【図５】
2005122625.tif 000006
【図６】
2005122625.tif 000007
【図７】
2005122625.tif 000008
【図８】
2005122625.tif 000009
【図９】
2005122625.tif 000010
【図１０】
2005122625.tif 000011
【図１１】
2005122625.tif 000012
【図１２】
2005122625.tif 000013
【図１３】
2005122625.tif 000014
【図１４】
2005122625.tif 000015
【図１５】
2005122625.tif 000016
【図１６】
2005122625.tif 000017
【図１７】
2005122625.tif 000018
【図１８】
2005122625.tif 000019
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
ＲＦＩＤ(Radio Frequency-IDentification)タグからデータを受信する移動端末であって、
前記移動端末を制御する制御ポリシーと、前記制御ポリシーを識別するポリシー識別子と、を対応づけて記憶している記憶手段と、
前記記憶手段が記憶しているポリシー識別子の何れかが、前記受信したデータに含まれているか否かを判断する判断手段と、
前記記憶しているポリシー識別子の何れかが前記受信したデータに含まれていると前記判断手段が判断した場合、受信したポリシー識別子に対応づけられている制御ポリシーに基づいて自端末の制御を行う制御手段と、
を含むことを特徴とする、移動端末。
【請求項２】
自端末に所定のイベントが生じた任意のタイミングで、前記ポリシー識別子の送信要求を前記ＲＦＩＤタグに送信する送信手段を更に含むことを特徴とする、請求項１に記載の移動端末。
【請求項３】
他の端末と通信を行う通信手段を更に含み、
前記送信手段は、前記通信手段における通信を中断し、前記ポリシー識別子の送信要求を前記ＲＦＩＤタグに送信することを特徴とする、請求項２に記載の移動端末。
【請求項４】
他の端末と通信を行う通信手段を更に含み、
前記送信手段は、前記通信手段における通信の終了を検出し、前記ポリシー識別子の送信要求を前記ＲＦＩＤタグに送信することを特徴とする、請求項２に記載の移動端末。
【請求項５】
自端末のユーザからの指示を検知する第１検知手段を更に含み、
前記第１検知手段が前記ユーザからの指示を検知した場合、前記送信手段は前記ポリシー識別子の送信要求を前記ＲＦＩＤタグに送信することを特徴とする、請求項２に記載の移動端末。
【請求項６】
前記記憶手段は任意のアプリケーションを更に記憶し、
前記記憶しているアプリケーションの起動を検知する第２検知手段を更に含み、
前記第２検知手段が前記記憶しているアプリケーションの起動を検知した場合、前記送信手段は前記ポリシー識別子の送信要求を前記ＲＦＩＤタグに送信することを特徴とする、請求項２に記載の移動端末。
【請求項７】
前記記憶手段は自端末の現在の制御ポリシーを識別する現在のポリシー識別子を判別しており、
前記判断手段は、データを受信する度に、前記記憶手段が記憶しているポリシー識別子の何れかが新たに受信したデータに含まれているか否かを判断し、
前記判断部が、前記記憶しているポリシー識別子の何れかが前記新たに受信したデータに含まれていると判断した場合、前記新たに受信したポリシー識別子と前記現在のポリシー識別子とを比較する比較手段を更に含み、
前記新たに受信したポリシー識別子と前記現在のポリシー識別子とが異なる場合は、前記記憶手段は、前記新たに受信したポリシー識別子を現在のポリシー識別子として記憶することを特徴とする、請求項１に記載の移動端末。
【請求項８】
ＲＦＩＤタグからデータを受信する移動端末のＲＦＩＤタグ制御ポリシー特定方法であって、
前記移動端末を制御する制御ポリシーと、前記制御ポリシーを識別するポリシー識別子と、を対応づけて記憶するステップと、
前記記憶しているポリシー識別子の何れかが、前記受信したデータに含まれているか否かを判断するステップと、
前記記憶しているポリシー識別子の何れかが前記受信したデータに含まれていると判断した場合、受信したポリシー識別子に対応づけられている制御ポリシーに基づいて自端末の制御を行うステップと、
を含むことを特徴とする、移動端末の制御ポリシー特定方法。
【請求項９】
複数のＲＦＩＤタグと前記複数のＲＦＩＤタグからデータを受信する移動端末とを備えた制御ポリシー特定システムであって、
前記移動端末は、
前記移動端末を制御する制御ポリシーと、前記制御ポリシーを識別するポリシー識別子と、を対応づけて記憶している記憶手段と、
前記記憶手段が記憶しているポリシー識別子の何れかが、前記受信したデータに含まれているか否かを判断する判断手段と、
前記記憶しているポリシー識別子の何れかが前記受信したデータに含まれていると前記判断手段が判断した場合、受信したポリシー識別子に対応づけられている制御ポリシーに基づいて自端末の制御を行う制御手段と、を含み、
前記複数のＲＦＩＤタグの各々は、
各ＲＦＩＤタグを識別する固有情報に基づいて前記各ＲＦＩＤタグのスロットを生成する生成手段と、
前記生成手段が生成した前記スロットを用いて、前記ポリシー識別子を順次に時分割送信する送信手段と、
を含むことを特徴とする、制御ポリシー特定システム。
【請求項１０】
前記移動端末は、前記ポリシー識別子の送信要求を前記ＲＦＩＤタグに送信する送信手段を更に含み、
前記判断手段は、前記複数のＲＦＩＤタグのうち少なくとも１つのＲＦＩＤタグから前記ポリシー識別子を受信した場合、前記送信手段による前記ポリシー識別子の送信要求の送信を停止させることを特徴とする、請求項９に記載の制御ポリシー特定システム。
【請求項１１】
ＲＦＩＤタグからデータを受信する移動端末に搭載されるコンピュータが実行する制御ポリシー特定プログラムであって、
前記移動端末を制御する制御ポリシーと、前記制御ポリシーを識別するポリシー識別子と、を対応づけて記憶する手段、
前記記憶手段が記憶しているポリシー識別子の何れかが、前記受信したデータに含まれているか否かを判断する判断手段、及び
前記記憶しているポリシー識別子の何れかが前記受信したデータに含まれていると前記判断手段が判断した場合、受信したポリシー識別子に対応づけられている制御ポリシーに基づいて自端末の制御を行う制御手段、
として前記コンピュータを機能させるための制御ポリシー特定プログラム。
【手続補正２】
【補正対象書類名】明細書
【補正対象項目名】全文
【補正方法】変更
【補正の内容】
【発明の詳細な説明】
【技術分野】
【０００１】
本発明は、ＲＦＩＤタグからデータを受信する移動端末、前記移動端末の制御ポリシー特定方法及びプログラムに関する。
【背景技術】
【０００２】
携帯電話等の移動端末は、その優れた利便性により我々の生活に浸透している。移動端末を所有するユーザは、例えば映画館、美術館、病院、電車の車内等どのような場所でも通話を行うことができる。一方、病院や美術館、電車の車内のように、他の人々への迷惑行為を防止させるために、移動端末による通話を禁止している場所もある。しかし、これらの場所では、アナウンスにより移動端末の通話禁止を促したり、通話禁止である旨のポスターを掲示しているのみの場合が多い。従って、このような場所において実際に移動端末の通信を行うか否かは、そのユーザの判断に委ねられている。
【０００３】
近年、移動端末の通話を禁止している場所では、通話を強制的に禁止させるように移動端末を制御する方法が用いられている場合がある。図１７に、その一例を示す。図１７は、移動端末を所有するユーザが通話可能区域及び通話禁止区域間を移動する場合を示している。ここで、図１７の“通話禁止領域”は閉鎖空間である。以下より、閉鎖空間が例えば建物の内部であるとする。建物のゲートには、ユーザの出入りを検出するセンサと、センサからの検出信号に基づいてユーザの移動端末へ信号を送信する送信部とが設けられている。ユーザが通話可能領域から通話禁止領域へ移動した場合（Ａ）、センサはユーザの移動方向を検出し、送信部はセンサの検出信号に基づいて移動端末に信号を送信する。移動端末はこの信号に基づいて、自端末を着信不可な状態に制御する。また、ユーザが通話禁止領域から通話可能領域へ移動した場合（Ｂ）、センサはユーザの移動方向を検出し、送信部はセンサの検出信号に基づいて移動端末に信号を送信する。移動端末はこの信号に基づいて、自端末を着信可能な状態に制御する。
【０００４】
また、特許文献１は、携帯電話の通話を禁止する場所において、強制的に通話を禁止させるように携帯電話を制御するシステムを示している。図１８は、特許文献１に係るシステム概念図である。図１８のシステムでは、建物の入口等に設置された簡易基地局装置４０１が、建物内へ移動するユーザの携帯電話４０２に電源オフ信号を報知する。電源オフ信号を受信した携帯電話４０２は自端末の電話番号を簡易基地局装置４０１に通知する。そして、携帯電話４０２は、簡易基地局装置４０１から公衆基地局装置４０３を介して無線ネットワーク４０４内の位置管理サーバ４０５に電源オフした旨を通知及び登録する。携帯電話４０２への着信動作は位置管理サーバ４０５の登録内容を参照して行われる。
【特許文献１】特開平１１−６９４１２号公報
【発明の開示】
【発明が解決しようとする課題】
【０００５】
しかしながら、上述した方法には以下の問題点がある。
【０００６】
図１７の方法は、ユーザの動作を検出するセンサが設置された出入口を、ユーザは必ず通過しなければならない。即ち、移動端末に対して制御ポリシーを強制させたい該当領域は、必ず壁で仕切られた閉鎖空間であって、この閉鎖空間にはゲートが設けられている必要がある。壁で仕切られていないような領域内では、ユーザがゲートを必ずしも通過するとは限らない。即ち、壁で仕切られていないような領域では、移動端末を強制的に制御ポリシーに従わせることは困難である。また、例えば１つの領域を通話可能領域と通話禁止領域とに分割する場合は、その分割した各領域を閉鎖空間にし、閉鎖空間にはゲートを設けなければならない。そして、その各ゲートにはセンサ及び送信部を設置する必要がある。従って、各区域に設置されるゲート、センサ及び送信部を設置するためのコストがかかってしまう。
【０００７】
また、特許文献１のシステムでは、簡易基地局装置４０１、公衆基地局装置４０３、無線ネットワーク４０４、位置管理サーバ４０５等の多数の機器を必要とする。即ち、特許文献１のシステムを用いる場合はコストがかかってしまう。
【０００８】
本発明は、これらの課題を解決したものであって、ユーザの意志に関わらず、該当領域において決められた制御ポリシーに従うことができる移動端末と移動端末の制御ポリシー特定システムとを提供することを目的とする。
【課題を解決するための手段】
【０００９】
前記課題を解決するために、発明１は、ＲＦＩＤ(Radio Frequency-IDentification)タグからデータを受信する移動端末を提供する。本発明１に係る移動端末は、記憶手段と、判断手段と、制御手段とを含む。記憶手段は、前記移動端末を制御する制御ポリシーと、前記制御ポリシーを識別するポリシー識別子と、を対応づけて記憶している。判断手段は、前記記憶手段が記憶しているポリシー識別子の何れかが、前記受信したデータに含まれているか否かを判断する。制御手段は、前記記憶しているポリシー識別子の何れかが前記受信したデータに含まれていると前記判断手段が判断した場合、受信したポリシー識別子に対応づけられている制御ポリシーに基づいて自端末の制御を行う。
【００１０】
この移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【００１１】
発明２は、前記発明１において、自端末に所定のイベントが生じた任意のタイミングで、前記ポリシー識別子の送信要求を前記ＲＦＩＤタグに送信する送信手段を更に含む移動端末を提供する。
【００１２】
移動端末が一斉にＲＦＩＤタグに対してポリシー識別子の送信要求を送信すると、送信要求同士の衝突が生じる。そこで、この移動端末は、自端末に所定のイベントが生じると、ポリシー識別子の送信要求をＲＦＩＤタグに送信する。自端末に所定のイベントが発生するタイミングは各々の移動端末により異なる。そのため、移動端末が一斉にＲＦＩＤタグにポリシー識別子の送信要求を送信する確率は減少する。即ち、移動端末がＲＦＩＤタグにポリシー識別子の送信要求を送信するタイミングはずれている。従って、ポリシー識別子の送信要求同士の衝突を回避することができる。
【００１３】
発明３は、前記発明２において、他の端末と通信を行う通信手段を更に含む。そして、発明３は、前記送信手段が、前記通信手段における通信を中断し、前記ポリシー識別子の送信要求を前記ＲＦＩＤタグに送信することを特徴とする移動端末を提供する。
【００１４】
移動端末が一斉にＲＦＩＤタグに対してポリシー識別子の送信要求を送信すると、送信要求同士の衝突が生じる。この移動端末は、例えば他の端末から着信があった場合、着信をユーザに知らせるための呼び出し音を鳴らす前に、ポリシー識別子の送信要求を送信する。即ち、送信部は、通信手段における他の端末の通信を中断し、ポリシー識別子の送信要求を送信する。自端末が他の端末からの着信を受信するタイミングは各々の移動端末により異なる。そのため、移動端末が一斉にＲＦＩＤタグにポリシー識別子の送信要求を送信する確率は減少する。即ち、移動端末のＲＦＩＤタグにポリシー識別子の送信要求を送信するタイミングがずれる。従って、ポリシー識別子の送信要求同士の衝突を回避することができる。
【００１５】
発明４は、前記発明２において、他の端末と通信を行う通信手段を更に含む。そして、発明４は、前記送信手段が、前記通信手段における通信の終了を検出し、前記ポリシー識別子の送信要求を前記ＲＦＩＤタグに送信することを特徴とする移動端末を提供する。
【００１６】
移動端末が一斉にＲＦＩＤタグに対してポリシー識別子の送信要求を送信すると、送信要求同士の衝突が生じる。この移動端末は、例えば他の端末からメールが送られてくると、移動端末はポリシー識別子の送信要求を送信する。自端末が他の端末からメールを受信するタイミングは各々の移動端末により異なる。そのため、移動端末が一斉にＲＦＩＤタグにポリシー識別子の送信要求を送信する確率は減少する。即ち、移動端末のＲＦＩＤタグにポリシー識別子の送信要求を送信するタイミングがずれる。従って、ポリシー識別子の送信要求同士の衝突を回避することができる。
【００１７】
発明５は、前記発明２において、自端末のユーザからの指示を検知する第１検知手段を更に含む。そして、発明５は、前記第１検知手段が前記ユーザからの指示を検知した場合、前記送信手段は前記ポリシー識別子の送信要求を前記ＲＦＩＤタグに送信することを特徴とする移動端末を提供する。
【００１８】
移動端末が一斉にＲＦＩＤタグに対してポリシー識別子の送信要求を送信すると、送信要求同士の衝突が生じる。この移動端末は、例えばＴＶ機能を有した移動端末であるとする。ＴＶ機能を既に起動させている移動端末においてユーザがＴＶ機能の音量を大きくするボタンを押下すると、移動端末のＴＶ機能の音量が大きくなる前に、移動端末はポリシー識別子の送信要求を送信する。移動端末のユーザが音量ボタンを押下するタイミングは各々の移動端末により異なる。そのため、移動端末が一斉にＲＦＩＤタグにポリシー識別子の送信要求を送信する確率は減少する。従って、ポリシー識別子の送信要求同士の衝突を回避することができる。
【００１９】
発明６は、前記発明２において、前記記憶手段は任意のアプリケーションを更に記憶し、前記記憶しているアプリケーションの起動を検知する第２検知手段を更に含む。そして、発明６は、前記第２検知手段が前記記憶しているアプリケーションの起動を検知した場合、前記送信手段は前記ポリシー識別子の送信要求を前記ＲＦＩＤタグに送信することを特徴とする移動端末を提供する。
【００２０】
移動端末が一斉にＲＦＩＤタグに対してポリシー識別子の送信要求を送信すると、送信要求同士の衝突が生じる。この移動端末は、例えば音楽機能を有した移動端末であるとする。移動端末のユーザが音楽機能を起動させて使用しようとすると、移動端末はポリシー識別子の送信要求を送信する。移動端末のユーザが音楽機能等の任意のアプリケーションを起動させるタイミングは各々の移動端末により異なる。そのため、移動端末が一斉にＲＦＩＤタグにポリシー識別子の送信要求を送信する確率は減少する。従って、ポリシー識別子の送信要求同士の衝突を回避することができる。
【００２１】
発明７は、前記発明１において、前記記憶手段は自端末の現在の制御ポリシーを識別する現在のポリシー識別子を判別しており、前記判断手段は、データを受信する度に、前記記憶手段が記憶しているポリシー識別子の何れかが新たに受信したデータに含まれているか否かを判断する。そして、前記判断部が、前記記憶しているポリシー識別子の何れかが前記新たに受信したデータに含まれていると判断した場合、前記新たに受信したポリシー識別子と前記現在のポリシー識別子とを比較する比較手段を更に含む。更に、前記新たに受信したポリシー識別子と前記現在のポリシー識別子とが異なる場合は、前記記憶手段は、前記新たに受信したポリシー識別子を現在のポリシー識別子として記憶することを特徴とする移動端末を提供する。
【００２２】
移動端末は、現在の自端末の制御ポリシーとは異なるポリシー識別子を受信した場合は、新たに受信したポリシー識別子が示す制御ポリシーに基づいて自端末を制御する。即ち、移動端末は、常に最新の制御ポリシーに従うことができる。
【００２３】
また、前記課題を解決するために、発明８は、ＲＦＩＤタグからデータを受信する移動端末のＲＦＩＤタグ制御ポリシー特定方法を提供する。具体的には、以下のステップを含む。
◎前記移動端末を制御する制御ポリシーと、前記制御ポリシーを識別するポリシー識別子と、を対応づけて記憶するステップ。
◎前記記憶しているポリシー識別子の何れかが、前記受信したデータに含まれているか否かを判断するステップ。
◎前記記憶しているポリシー識別子の何れかが前記受信したデータに含まれていると判断した場合、受信したポリシー識別子に対応づけられている制御ポリシーに基づいて自端末の制御を行うステップ。
【００２４】
この移動端末の制御ポリシー特定方法によると、移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【００２５】
また、前記課題を解決するために、発明９は、複数のＲＦＩＤタグと前記複数のＲＦＩＤタグからデータを受信する移動端末とを備えた制御ポリシー特定システムを提供する。本システムに係る前記移動端末は、記憶手段と、判断手段と、制御手段とを含む。記憶手段は、前記移動端末を制御する制御ポリシーと、前記制御ポリシーを識別するポリシー識別子と、を対応づけて記憶している。判断手段は、前記記憶手段が記憶しているポリシー識別子の何れかが、前記受信したデータに含まれているか否かを判断する。制御手段は、前記記憶しているポリシー識別子の何れかが前記受信したデータに含まれていると前記判断手段が判断した場合、受信したポリシー識別子に対応づけられている制御ポリシーに基づいて自端末の制御を行う。そして、本システムに係る複数のＲＦＩＤタグの各々は、各ＲＦＩＤタグを識別する固有情報に基づいて前記各ＲＦＩＤタグのスロットを生成する生成手段と、前記生成手段が生成した前記スロットを用いて、前記ポリシー識別子を順次に時分割送信する送信手段と、を含む。
【００２６】
ＲＦＩＤタグは、ポリシー識別子を移動端末へ送信するタイミングを生成する。ＲＦＩＤタグが移動端末に送信するポリシー識別子は、各ＲＦＩＤタグが生成したスロットに基づいて時分割送信される。移動端末は、順次に送られてきたポリシー識別子を受信する。これにより、複数のＲＦＩＤタグから送信される各ポリシー識別子は重畳しない。従って、複数のＲＦＩＤタグから送信される各ポリシー識別子同士の衝突を回避することができる。
【００２７】
発明１０は、前記発明９において、前記移動端末は、前記ポリシー識別子の送信要求を前記ＲＦＩＤタグに送信する送信手段を更に含む。そして、前記判断手段は、前記複数のＲＦＩＤタグのうち少なくとも１つのＲＦＩＤタグから前記ポリシー識別子を受信した場合、前記送信手段による前記ポリシー識別子の送信要求の送信を停止させることを特徴とする制御ポリシー特定システムを提供する。
【００２８】
複数のＲＦＩＤタグは同じ領域内に位置しており、同じポリシー識別子を有しているとする。この制御ポリシー特定システムによると、移動端末は、少なくとも１つのＲＦＩＤタグからポリシー識別子を受信すると、ポリシー識別子の送信要求を停止する。即ち、移動端末は、複数のＲＦＩＤタグから同一のポリシー識別子を複数回受信しなくて済む。従って、移動端末の消費電力を抑えることができる。
【００２９】
また、前記課題を解決するために、発明１１は、ＲＦＩＤタグからデータを受信する移動端末に搭載されるコンピュータが実行する制御ポリシー特定プログラムを提供する。具体的には、以下の手段を含む。
◎前記移動端末を制御する制御ポリシーと、前記制御ポリシーを識別するポリシー識別子と、を対応づけて記憶する手段。
◎前記記憶手段が記憶しているポリシー識別子の何れかが、前記受信したデータに含まれているか否かを判断する判断手段。
◎前記記憶しているポリシー識別子の何れかが前記受信したデータに含まれていると前記判断手段が判断した場合、受信したポリシー識別子に対応づけられている制御ポリシーに基づいて自端末の制御を行う制御手段。
【００３０】
この制御ポリシー特定プログラムによると、移動端末は、特定の領域内において決められた制御ポリシーに従って自端末を制御する。例えば、この移動端末のユーザが、病院や電車内等の移動端末の通話を禁止されている区域に侵入した場合を考える。そして、ＲＦＩＤタグのデータが、例えば“移動端末の電源をオフする”旨の制御ポリシーと、前記制御ポリシーを識別するポリシー識別子とを記憶しているとする。この場合、移動端末は、通話禁止区域内に備えられているＲＦＩＤタグからデータを受信してポリシー識別子を検索する。そして、移動端末は、データ内の制御ポリシーを特定すると、制御ポリシーに基づいて電源をオフする。従って、この移動端末のユーザは、決められた社会秩序に反することなく、特定の領域内において決められた制御ポリシーに従うことができる。
【発明の効果】
【００３１】
本発明によると、ユーザの意志に関わらず、移動端末は該当領域における制御ポリシーに従うことができる。
【発明を実施するための最良の形態】
【００３２】
＜第１実施形態＞
（１）システムの構成
図１は、本発明の第１実施形態に係る制御ポリシー特定システムの構成図である。制御ポリシーとは、任意の領域内において決められたルールに基づいて、移動端末を強制的に制御するための制御信号をいう。第１実施形態は、例えば電車２内の移動端末３ａ，bに、電車２内の制御ポリシーを強制するシステムを例にとる。図１の制御ポリシー特定システム１は、電車２内のポスター４とＲＦＩＤタグ５ａとを含む。ポスター４は、電車２内の移動端末３ａ，bに、電車２内のマナーを強制するための制御ポリシーを掲示したものであって、ＲＦＩＤタグ５ａが貼付されている。ＲＦＩＤタグ５ａは、電車２内の制御ポリシーを特定するためのポリシーＩＤ等を含むポリシーコードを記憶しており、移動端末３ａ，bにポリシーコードを送信する。尚、本実施形態に係るＲＦＩＤタグ５ａ，ｂは、内部に電源を有さず、移動端末３ａ，b等の外部機器から送信される搬送波を電力に変換し、これを用いて移動端末にポリシーコードを提供する。即ち、本実施形態では、ＲＦＩＤタグ５ａ，ｂがパッシブタグである場合を想定している。
【００３３】
図２は、ＲＦＩＤタグ５ａ，ｂが記憶しているポリシーコードの情報の説明図である。図２に示すように、ＲＦＩＤタグ５ａ，ｂが記憶しているポリシーコードは、ポリシーＩＤと、該当機器コードと、シーケンスナンバーとを含む。ポリシーＩＤは、ＲＦＩＤタグ５ａ，ｂが位置している領域内の制御ポリシーを識別する。該当機器コードは、制御ポリシーを強制する対象の機器を示す。シーケンスナンバーは、ＲＦＩＤタグ５ａ，ｂを識別するための固有情報である。
【００３４】
移動端末３ａ，bは、ＲＦＩＤタグ５ａからポリシーコードを受信すると、これに基づいて電車２内の制御ポリシーを特定し、特定した制御ポリシーに基づいて自端末の制御を行う。
【００３５】
尚、本実施形態では、ＲＦＩＤタグ５はポスター４に貼付されているとしたが、これに限定されない。ＲＦＩＤタグ５は、電車２内の制御ポリシーに対応するポリシーＩＤを、電車２内の移動端末３ａ，bに対し送信できる場所であれば、どこに設置されてもよい。
【００３６】
（２）機能
次に、本発明の第１実施形態に係る移動端末３ａ，bの機能について説明する。ここで、移動端末３ａ，bは同じ機能構成を持つため、以下より移動端末３ａについて説明する。図３は、本発明の第１実施形態に係る移動端末３ａの機能構成図である。本実施形態に係る移動端末３ａは、ＲＦＩＤタグ５ａ，ｂからのデータを受信するリーダとしての機能を備えている。具体的には、図３の移動端末３ａは、受信部３１、送信部３２、記憶部３３、判断部３４、比較部３５、制御部３６及び通信部３７を含む。以下より、各機能について詳述する。
【００３７】
（２−１）受信部
受信部３１は、ＲＦＩＤタグ５ａ，ｂからポリシーコードを含むデータを受信する。
【００３８】
（２−２）送信部
送信部３２は、自端末に所定のイベントが生じた任意のタイミングで、ポリシーＩＤを含むポリシーコードの送信要求をＲＦＩＤタグ５ａ，ｂに送信する。そして、送信部３２は、ＲＦＩＤタグ５ａ，ｂに電力を供給する搬送波を送信する。“自端末の所定のイベント”については後述する。
【００３９】
（２−３）記憶部
記憶部３３は、ポリシー情報を記憶している。ポリシー情報は、移動端末を制御する制御ポリシーと、該制御ポリシーを識別するポリシーＩＤとを１レコードとして記憶している。図４は、記憶部３３が記憶しているポリシー情報の概念図である。具体的には、記憶部３３は、ポリシーＩＤ“０１ｈ”と制御ポリシー“電源をＯＦＦにする”とを対応づけて記憶している。記憶部３３は、ポリシーＩＤ“０２ｈ”と制御ポリシー“電源をＯＮにする”とを対応づけて記憶している。記憶部３３は、ポリシーＩＤ“０３ｈ”と制御ポリシー“着信拒否にする”とを対応づけて記憶している。記憶部３３は、ポリシーＩＤ“０４ｈ”と制御ポリシー“着信可能にする”とを対応づけて記憶している。尚、記憶部３３が記憶しているポリシーＩＤと制御ポリシーとの対応情報は、他の移動端末及びＲＦＩＤタグ５ａ，ｂにおいても共通である。記憶部３３は、ポリシーＩＤと制御ポリシーとの対応情報を書き換えることは出来ない。記憶部３３が記憶しているポリシーＩＤと制御ポリシーとの対応情報を書き換えると、ポリシーＩＤと制御ポリシーとの対応情報が移動端末毎に異なる場合が生じる。すると、各移動端末が同一のポリシーコードを受信しても、移動端末毎にポリシーＩＤに対応する制御ポリシーが異なるため、移動端末毎に異なった制御がなされる。従って、移動端末を統一した制御ポリシーに強制することができない場合が発生してしまう。
【００４０】
また、新たなポリシーＩＤと制御ポリシーとの対応情報を移動端末３ａに追加する場合は、移動端末３ａは、任意の方法を用いて該対応情報を外部装置から取得することができる。任意の方法には、例えばＳＤカードを用いた方法が挙げられる。移動端末３ａのユーザは新たなポリシーＩＤと制御ポリシーとの対応情報を記憶しているＳＤカードを移動端末３ａに差込み、移動端末３ａの記憶部３３はＳＤカード内の新たな対応情報を読み出して追記してもよい。また、移動端末３ａの記憶部３３は、自端末とネットワークを構築しているサーバ（図示せず）から新たな該対応情報をダウンロードしてもよい。ここで、新たに取得するポリシーＩＤと制御ポリシーとの対応情報は、書き換えることができないことが必須である。
【００４１】
また、記憶部３３は、自端末の現在の制御ポリシー（以下、カレント制御ポリシーと称する）を判別可能に記憶している。例えば、図４に示すように、記憶部３３は、カレント制御ポリシーを識別するためのフラグを更に記憶する。フラグは、ポリシー情報のうち、どれがカレント制御ポリシーのレコードかを示す。フラグの位置は、カレント制御ポリシーの変更に伴い変化する。
【００４２】
（２−４）判断部
判断部３４は、記憶部３３が記憶しているポリシー識別子の何れかが、ＲＦＩＤタグ５ａ，ｂから受信したデータに含まれているか否かを判断する。言い換えると、判断部３４は、ＲＦＩＤタグ５ａ，ｂから受信したデータ内に、記憶部３３が記憶しているポリシー識別子と一致するポリシー識別子があるか否かを検索する。例えば、受信部３１が受信したデータはポリシーコード内にポリシーＩＤ“０１ｈ”を有しているとする。判断部３４は、記憶部３３に記憶しているポリシーＩＤ“０１ｈ”“０２ｈ”“０３ｈ”“０４ｈ”のうちいづれかが、受信したデータ内にあるか否かを検索する。本実施形態では、記憶部３３が記憶しているポリシーＩＤ“０１ｈ”と、受信部３１が受信したデータ内のポリシーＩＤ“０１ｈ”とは一致する。この場合、判断部３４は、記憶部３３が記憶しているポリシー識別子“０１ｈ”が、受信部３１が受信したデータ内に含まれていると判断する。そして、判断部３４は、受信部３１が受信したデータ内のポリシーＩＤ“０１ｈ”に対応する制御ポリシーを抽出する。
【００４３】
また、判断部３４は、受信部３１がデータを受信する度に、記憶部３３が記憶しているポリシーＩＤの何れかが新たに受信したデータに含まれているか否かを判断する。
【００４４】
（２−５）比較部
判断部３４が、記憶しているポリシー識別子のいずれかが新たに受信したデータに含まれていると判断すると、比較部３５は新たに受信したポリシーＩＤと記憶部３３が記憶しているカレント制御ポリシーのポリシーＩＤ（以下、カレントポリシーＩＤと称する）とを比較し、一致するか否かを判断する。例えば、受信部３１が新たに受信したデータはポリシーコード内にポリシーＩＤ“０２ｈ”を有しており、判断部３４がこれを特定したとする。比較部３５は、記憶部３３が記憶しているポリシー情報内からカレントポリシーＩＤ“０１ｈ”を抽出する。そして、比較部３５は、新たに受信したポリシーＩＤ“０２ｈ”とカレントポリシーＩＤ“０１ｈ”とを比較する。比較部３５は、“０１ｈ”と“０２ｈ”とが不一致であると判断し、判断結果を制御部３６及び記憶部３３へ送信する。このとき、記憶部３３は、比較部３５からの判断結果に基づいて、カレントポリシーＩＤを“０１ｈ”から“０２ｈ”へ更新する。例えば、記憶部３３はフラグの位置を変更する。
【００４５】
（２−６）制御部
制御部３６は、受信部３１が受信したポリシーＩＤに対応づけられている制御ポリシーに基づいて自端末の制御を行う。例えば、受信したポリシーＩＤが“０１ｈ”である場合は、制御部３６は自端末の電源をオフにする。受信したポリシーＩＤが“０２ｈ”である場合は、制御部３６は自端末の電源をオンにする。受信したポリシーＩＤが“０３ｈ”である場合は、制御部３６は自端末を着信拒否の状態にする。受信したポリシーＩＤが“０４ｈ”である場合は、制御部３６は自端末を着信可能な状態にする。
【００４６】
また、制御部３６は、カレント制御ポリシーが更新される度に、更新後のカレント制御ポリシーに基づいて自端末を制御する。例えば、カレントポリシーＩＤが“０１ｈ”から“０２ｈ”に変化した場合は、制御部３６は、新たなポリシーＩＤ“０２ｈ”が示す制御ポリシーを記憶部３３のポリシー情報から抽出する。そして、制御部３６は、ポリシーＩＤ“０２ｈ”が示す制御ポリシー“電源をＯＮにする”に従い自端末を制御する。これにより、移動端末３ａは常に最新のポリシーに従うことができる。
【００４７】
尚、記憶部３３内のポリシーＩＤのいずれかが、受信したデータ内に含まれていないと判断部３４が判断した場合、及び比較部３５が受信したポリシーＩＤとカレントポリシーＩＤとが一致すると判断した場合は、制御部３６はカレント制御ポリシーに係る制御を継続する。
【００４８】
（２−７）通信部
通信部３７は、他の通信端末との通信を行う。通信部３７とは、電話やアプリケーション、メーラー、ブラウザ等である。また、“他の通信端末”とは、携帯電話やＰＤＡ、固定電話、ＦＡＸ、ＰＤＡ、ＰＣ等である。このように、他の通信端末は、移動端末３ａと通信を行うことができる機器であればよい。
【００４９】
（３）所定のイベント
次に、移動端末３ａの送信部３２は、自端末にどのようなイベントが生じた場合にポリシーコードの送信要求を送信するかについて説明する。移動端末３ａにおける“所定のイベント”には、例えば以下の４つが挙げられる。
【００５０】
（３−１）送信部３２が通信部３７における通信を中断した場合
この場合の通信部３７は、例えば電話及びインターネットブラウザが該当する。“通信を中断”とは、既に通信のためのコネクションが確立された状態においてその通信を中断させることを意味する。
【００５１】
例えば、通信部３７が電話用アプリケーションである場合について説明する。移動端末３ａに他の通信端末から着信があったとする。この時点で、移動端末３ａと他の通信端末との間のコネクションは確立されている。しかし、通信部３７が着信音を鳴らす等して他の通信端末からの着信をユーザに知らせる動作を行う前に、送信部３２は通信部３７の通信を中断し、ポリシーコードの送信要求をＲＦＩＤタグ５ａ，ｂに送信する。そして、受信部３１がＲＦＩＤタグ５ａ，ｂからデータを受信すると、判断部３４はこのデータ内からポリシーＩＤを特定し、制御部３６はこのポリシーＩＤに従い制御する。例えば、このデータ内のポリシーＩＤが示す制御ポリシーが、“電源をＯＦＦする”であるとする。すると、制御部３６は自端末の電源をオフにする。従って、移動端末３ａと他の通信端末との間のコネクションは切断される。
【００５２】
また、通信部３７がインターネットブラウザである場合について説明する。移動端末３ａの通信部３７は、例えばＰＣが有しているウェブページのサイトへアクセスしているとする。この時点で、移動端末３ａとのＰＣとの間のコネクションは確立されている。通信部３７が新たなウェブページのサイトへ更にアクセスしようとすると、送信部３２はこれを中断し、ポリシーコードの送信要求をＲＦＩＤタグ５ａ，ｂに送信する。即ち、通信部３７が新たなウェブページのサイトにアクセスする前に、送信部３２は通信部３７の通信を中断してポリシーコードの送信要求をＲＦＩＤタグ５ａ，ｂに送信する。
【００５３】
このように、移動端末３ａが他の通信端末との通信を中断するタイミングは移動端末３ａ毎に異なる。そのため、制御ポリシーが統一された領域内に複数の移動端末がある場合、複数の移動端末が一斉にＲＦＩＤタグ５ａ，ｂにポリシーコードの送信要求を要求する確率は減少する。即ち、移動端末３のＲＦＩＤタグ５ａ，ｂにポリシーコードの送信要求を送信するタイミングがずれる。従って、ポリシーコードの送信要求同士の衝突を回避することができる。
【００５４】
（３−２）送信部３２が、通信部３７における通信の終了を検出した場合
この場合の通信部３７は、例えばメーラーが該当する。“通信を終了”とは、既に通信のためのコネクションが確立された状態においてその通信の終了を検出した場合を意味する。
【００５５】
例えば、移動端末３ａの通信部３７がメールを受信すると、移動端末３ａの送信部３２は通信部３７がメールを受信したことを検出し、ポリシーコードの送信要求をＲＦＩＤタグ５ａ，ｂに送信する。
【００５６】
このようにメールを受信するタイミングは、移動端末３ａ毎に異なる。そのため、制御ポリシーが統一された領域内に複数の移動端末がある場合、複数の移動端末が一斉にＲＦＩＤタグ５ａ，ｂにポリシーコードの送信要求を要求する確率は減少する。即ち、移動端末３ａのＲＦＩＤタグ５ａ，ｂにポリシーコードの送信要求を送信するタイミングがずれる。従って、ポリシーコードの送信要求同士の衝突を回避することができる。
【００５７】
（３−３）ユーザからの指示を検知した場合
移動端末３ａには、通話の発信ボタン、メールの送信ボタン及びカメラ機能のシャッターボタン等が設けられているとする。“ユーザからの指示”とは、これらのボタンがユーザにより押下された場合が該当する。移動端末３ａは、これらのボタンがユーザにより押下されたことを検知する第１検知部（図示せず）を含む。第１検知部がユーザによるボタンの押下を検知すると、送信部３２は各ボタンに該当する機能の動作が開始するのを中断し、ポリシーコードの送信要求をＲＦＩＤタグ５ａ，ｂに送信する。例えば、移動端末３ａはＴＶ機能を既に起動しているとする。ユーザがＴＶ機能の音量を大きくするボタンを押下すると、送信部３２はＴＶ機能の音量を大きくさせる動作を中断させ、ポリシーコードの送信要求をＲＦＩＤタグ５ａ，ｂに送信する。ＲＦＩＤタグ５ａ，ｂのデータ内のポリシーＩＤが示す制御ポリシーが“消音にする”である場合は、移動端末３ａは音量ボタンが押下されても音が出ない状態に自端末を制御する。
【００５８】
このように、移動端末３ａのユーザが各ボタンを押下するタイミングは各々の移動端末により異なる。そのため、移動端末が一斉にＲＦＩＤタグ５ａ，ｂにポリシーコードの送信要求を送信する確率は減少する。従って、ポリシーコードの送信要求同士の衝突を回避することができる。
【００５９】
（３−４）移動端末３ａ内のアプリケーションの起動を検知した場合
この移動端末３ａの記憶部３３は、カメラ機能やＴＶ機能、音楽機能、インターネット機能等のアプリケーションを更に記憶している。移動端末３ａは、アプリケーションがユーザによりメニュー画面等において選択され起動したことを検知する第２検知部（図示せず）を含む。第２検知部がアプリケーションの起動を検知すると、送信部３２はポリシーコードの送信要求をＲＦＩＤタグ５ａ，ｂに送信する。例えば、移動端末３ａは音楽のアプリケーションを有しているとする。移動端末３ａは音楽のアプリケーションを起動させると、第２検知部はこれを検知し、送信部３２は、ポリシーコードの送信要求をＲＦＩＤタグ５ａ，ｂに送信する。ＲＦＩＤタグ５ａ，ｂのデータ内のポリシーＩＤが示す制御ポリシーが“音楽の再生をオフする”であるとする。この場合は、移動端末３ａは再生出来ない状態に自端末を制御する。
【００６０】
このように、移動端末３ａのユーザがアプリケーションを起動させたタイミングは各々の移動端末により異なる。そのため、移動端末が一斉にＲＦＩＤタグ５ａ，ｂにポリシーコードの送信要求を送信する確率は減少する。従って、ポリシーコードの送信要求同士の衝突を回避することができる。
【００６１】
尚、上述では４つのイベントについて説明したが、これに限定されない。即ち、本発明は、自端末に所定のイベントが生じた任意のタイミングで、送信部３２が送信要求をＲＦＩＤタグに送信すれば良い。
【００６２】
（４）一連の動作フロー
次に、本発明の第１実施形態に係る移動端末を用いた制御ポリシー特定システムの一連の動作について説明する。図５は、第１実施形態に係る移動端末３ａを用いた制御ポリシー特定システム１の動作フローチャートである。以下より、移動端末３ａのユーザが、車内では移動端末の電源をオフにするよう促している電車２に乗車した場合を例にとる。尚、移動端末３ａのユーザが電車２に乗車した際、移動端末３ａは電源がオンの状態であるとする。
【００６３】
先ず、移動端末３ａのユーザが、ＲＦＩＤタグ５ａが貼付されたポスター４が車内に掲示されている電車２に乗車したとする。
【００６４】
電車２の車外に位置する通信端末が移動端末３ａに向けて発呼すると（＃１）、移動端末３ａの通信部３７は着信を検出する（＃２）。すると、移動端末３ａの送信部３２は、通信部３７による着信をユーザに知らせる処理を中断させて、電車２内のＲＦＩＤタグ５ａへポリシーコードの送信要求を送信する（＃３）。移動端末３ａからポリシーコードの送信要求を受信したＲＦＩＤタグ５ａは、ポリシーコードを送信する（＃４）。ここで、ポリシーコードは、電車２内の制御ポリシーを識別するポリシーＩＤ“０１ｈ”を含むとする。移動端末３ａの受信部３１はこれを受信する（＃５）。
【００６５】
移動端末３ａの判断部３４は、受信部３１が受信したポリシーコード内に、記憶部３３が記憶しているポリシー情報内のポリシーＩＤと一致するポリシーＩＤがあるか否かを検索する（＃７）。受信したポリシーコード内のポリシーＩＤ“０１ｈ”は、記憶部３３のポリシー情報内のポリシーＩＤ“０１ｈ”と一致する。従って、移動端末３ａの判断部３４は、記憶部３３のポリシー情報の中からポリシーＩＤ“０１ｈ”が示す制御ポリシー“電源をＯＦＦする”を抽出し、制御部３６に送信する。
【００６６】
移動端末３ａの制御部３６は、記憶部３３内から抽出した制御ポリシー“電源をＯＦＦする”に基づいて、自端末の電源をオフさせる（＃８）。すると、移動端末３ａは通信部３７の電源もオフの状態となるため、移動端末３ａと通信端末との間のコネクションは切断される。通信端末は、移動端末３ａが通話出来ない状態である旨を基地局から受信する（＃９）。
【００６７】
次いで、図６に示すように、電源をオフしている移動端末３ａが電車２から下車した場合について、図７を用いて詳述する。図６は、本発明の第１実施形態に係る制御ポリシー特定システムの概略図であって、移動端末３ａが電車２の車外に移動した場合を示している。図７は、図６に示す制御ポリシー特定システム１の動作フローチャートである。
【００６８】
移動端末３ａのユーザが電車２から下車し、ＲＦＩＤタグ５ｂが設置されている領域へ移動したとする。移動端末３ａの電源はオフであるため通信はできない状態にある。従って、電源がオフの状態時は、ポリシーコードの受信だけ常にできるようにするため、移動端末３ａは送信要求及び受信を行うＲＦＩＤタグリーダの機能のみを別の電源を用いてオンさせるとする。また、ＲＦＩＤタグ５ｂが設置されている領域は通話可能であって、ＲＦＩＤタグ５ｂは制御ポリシー“電源をオンする”を示すポリシーＩＤ“０２ｈ”を含むポリシーコードを有しているとする。
【００６９】
移動端末３ａの送信部３２は所定の時間が経過する度に（＃１１）、ポリシーコードの送信要求を送信する（＃１２）。移動端末３ａからポリシーコードの送信要求を受信したＲＦＩＤタグ５ｂは、“電源をオンする”の制御ポリシーを識別するポリシーＩＤ“０２ｈ”を含んだポリシーコードを、移動端末３ａへ送信する（＃１３）。移動端末３ａの受信部３１はこれを受信する（＃１４）。
【００７０】
移動端末の判断部３４は、受信部３１が受信したポリシーコード内に、記憶部３３が記憶しているポリシー情報内のポリシーＩＤと一致するポリシーＩＤがあるか否かを検索する（＃１５）。受信したポリシーコードはポリシーＩＤ“０２ｈ”を有しており、記憶部３３のポリシー情報内のポリシーＩＤ“０２ｈ”と一致する。従って、移動端末３ａの判断部３４は、記憶部３３のポリシー情報の中からポリシーＩＤ“０２ｈ”が示す制御ポリシー“電源をＯＮする”を抽出し、比較部３６に送信する。
【００７１】
移動端末３ａの比較部３５は、記憶部３３が記憶しているカレントポリシーＩＤと、抽出したポリシーＩＤ“０２ｈ”とを比較する（＃１６）。ここで、移動端末３ａは電源をオフした状態であるため、カレントポリシーＩＤは“０１ｈ”である。従って、比較部３５は、抽出されたポリシーＩＤ“０２ｈ”とカレントポリシーＩＤ“０１ｈ”とは異なると判断する。比較部３５は、比較結果を記憶部３３及び制御部３６に送信する。記憶部３３は、比較結果に基づいて、カレントポリシーＩＤを示すフラグの位置をカレントポリシーＩＤ“０１ｈ”から“０２ｈ”に変更する。
【００７２】
移動端末３ａの制御部３６は、ポリシーＩＤ“０２ｈ”に対応する制御ポリシー“電源をＯＮする”に基づいて、自端末の電源をオンさせる（＃１７）。従って、移動端末３ａと通信端末との間のコネクションは確立される。これにより、移動端末３ａと通信端末とは通話を行うことができる（＃１８、１９）。
【００７３】
尚、上述では、ＲＦＩＤタグ５ａ，ｂはそれぞれ“電源をＯＦＦする”“電源をＯＮする”の制御ポリシーを識別するポリシーＩＤを記憶しているとしたが、これに限定されない。例えば、ＲＦＩＤタグ５ａ，ｂはそれぞれ“マナーモードにする”“サイレントモードにする”の制御ポリシーを識別するポリシーＩＤを記憶していてもよい。この場合、移動端末３ａの記憶部３３は制御ポリシー“マナーモードにする”“サイレントモードにする”に対応するポリシーＩＤを記憶しているとする。これにより、移動端末３ａはマナーモードやサイレントモードにすることで、電車２内において着信音を出さずに済む。
【００７４】
（５）効果
この移動端末３ａ，ｂは、特定の領域内において決められた制御ポリシーに従って自端末を制御する。従って、この移動端末３ａ，ｂのユーザは、決められた社会秩序に反することなく、特定の領域内において決められた制御ポリシーに従うことができる。また、移動端末３ａ，ｂは、自端末に所定のイベントが生じた任意のタイミングで、ポリシーＩＤを含むポリシーコードの送信要求をＲＦＩＤタグ５ａ，ｂに送信する。自端末に所定のイベントが生じるタイミングは移動端末毎に異なる。そのため、移動端末３ａ，ｂが一斉にＲＦＩＤタグ５ａ，ｂのポリシーＩＤを含むポリシーコードを受信する確率が減少する。即ち、移動端末３ａ，ｂがＲＦＩＤタグ５ａ，ｂにポリシーコードの送信要求を送信するタイミングはずれる。従って、ポリシーコードの送信要求同士の衝突を回避することができる。
【００７５】
尚、本実施形態の移動端末３ａがＲＦＩＤタグのない領域に位置している場合は、例えば以下の動作を行う。ＲＦＩＤタグが設置されていない領域では、移動端末３ａの送信部３２がポリシーＩＤを含むポリシーコードの送信要求を送信しても、受信部３１はポリシーコードを取得することができない。そこで、移動端末３ａの受信部３１は、ポリシーコードの送信要求を送信してから所定の期間待機する。受信部３１が所定の期間にポリシーコードを受信しない場合は、ＲＦＩＤタグが自端末付近にいないと判断する。そして移動端末３ａの記憶部３３はカレント制御ポリシー及びカレントポリシーＩＤを示すフラグを消去し、制御部３６はユーザからの指示を受け付ける状態に制御する。これにより、移動端末３ａはユーザからの指示に基づいて、例えば電源をオンする等の制御を行う。
【００７６】
＜第２実施形態＞
（１）システムの構成
図８は、本発明の第２実施形態に係る制御ポリシー特定システムの構成図である。第２実施形態は、コンサート会場１０２内のカメラ機能付き移動端末１０３ａ〜ｄに、撮影禁止を強制するシステムを例にとる。図８の制御ポリシー特定システム１０１は、コンサート会場１０２内のポスター１０４ａ〜ｃとＲＦＩＤタグ１０５ａ〜ｃとを含む。ポスター１０４ａ〜ｃは、コンサート会場１０２内の移動端末１０３ａ〜ｄに、コンサート会場１０２内のマナーを強制するための制御ポリシーを掲示したものであって、ＲＦＩＤタグ１０５ａ〜ｃが貼付されている。ポスター１０４ａ〜ｃには、コンサート会場１０２内におけるマナー“撮影禁止”が掲載されている。ＲＦＩＤタグ１０５ａ〜ｃは、コンサート会場１０２内の制御ポリシー“カメラ機能をオフする”を特定するためのポリシーＩＤ“０５ｈ”等を含むポリシーコードを記憶している。ＲＦＩＤタグ１０５ａ〜ｃは、移動端末１０３ａ〜ｄそれぞれにポリシーコードを送信する。尚、本実施形態に係るＲＦＩＤタグ１０５ａ〜ｃは、内部に電源を備えており、自発的にポリシーコードを送信するアクティブタグである場合を例にとる。ここで、ＲＦＩＤタグ１０５ａ〜ｃが記憶しているポリシーコードの情報の種類については、第１実施形態の図２と同様であるため省略する。
【００７７】
移動端末１０３ａ〜ｄは、ＲＦＩＤタグ１０５ａ〜ｃからポリシーコードを受信すると、これに基づいてコンサート会場１０２内の制御ポリシーを特定し、特定した制御ポリシーに基づいて自端末の制御を行う。
【００７８】
尚、本実施形態では、ＲＦＩＤタグ１０５ａ〜ｃはポスター１０４ａ〜ｃに貼付されているとしたが、これに限定されない。ＲＦＩＤタグ１０５ａ〜ｃは、コンサート会場１０２内の制御ポリシーに対応するポリシーＩＤを、コンサート会場１０２内の移動端末１０３ａ〜ｄに対し送信できる場所であれば、どこに設置されてもよい。
【００７９】
（２）機能
次に、本発明の第２実施形態に係る移動端末１０３ａ〜ｄの機能について説明する。ここで、移動端末１０３ａ〜ｄは同じ機能構成を持つため、以下より移動端末１０３ａについて説明する。図９は、本発明の第２実施形態に係る移動端末１０３ａの機能構成図である。本実施形態に係る移動端末１０３ａは、第１実施形態に係る移動端末３ａの機能において、送信部を含まない機能構成を有する。即ち、本発明の第２実施形態に係る移動端末１０３ａ〜ｄは、受信部１３１、記憶部１３３、判断部１３４、比較部１３５、制御部１３６及び通信部１３７を含む。
【００８０】
受信部１３１は、ＲＦＩＤタグ１０５ａ〜ｃからポリシーコードを含むデータを受信する。
【００８１】
記憶部１３３は、ポリシー情報を記憶している。ポリシー情報は、移動端末を制御させる制御ポリシーと、該制御ポリシーを識別するポリシーＩＤとを１レコードとして記憶している。図１０は、記憶部１３３が記憶しているポリシー情報の概念図である。図１０の記憶部１３３は、第１実施形態の記憶部３３が記憶しているポリシー情報に加え、ポリシーＩＤ“０５ｈ”と制御ポリシー“カメラ機能をＯＦＦにする”とを対応づけて更に記憶している。また、記憶部１３３は、カレント制御ポリシーを判別可能に記憶している。例えば、図１０に示すように、記憶部１３３は、カレント制御ポリシーを識別するためのフラグを更に記憶している。フラグは、ポリシー情報のうち、どれがカレント制御ポリシーのレコードかを示す。フラグの位置は、カレント制御ポリシーの変更に伴い変化する。
【００８２】
判断部１３４は、記憶部１３３が記憶しているポリシー識別子の何れかが、ＲＦＩＤタグ１０５ａ，ｂから受信したデータに含まれているか否かを判断する。また、判断部１３４は、受信部１３１がデータを受信する度に、記憶部１３３が記憶しているポリシーＩＤのいずれかが新たに受信したデータに含まれているか否かを判断する。そして、判断部１３４は、判断結果を比較部１３５及び制御部１３６へ送信する。
【００８３】
判断部１３４が、記憶しているポリシー識別子のいずれかが新たに受信したデータに含まれていると判断すると、比較部１３５は、新たに受信したポリシーＩＤと記憶部１３３が記憶しているカレントポリシーＩＤとを比較し、一致するか否かを判断する。そして、比較部１３５は、比較結果を制御部１３６及び記憶部１３３へ送信する。例えば、比較結果が不一致である場合は、記憶部１３３はカレントポリシーＩＤを示すフラグの位置を変更する。
【００８４】
制御部１３６は、受信部１３１が受信したポリシーＩＤに基づいて自端末の制御を行う。また、カレントポリシーＩＤが示す制御ポリシーが変更される度に、制御部１３６は更新後のカレント制御ポリシーに基づいて自端末を制御する。
【００８５】
通信部１３７は、他の通信端末との通信を行う。
【００８６】
（３）一連の動作フロー
次に、本発明の第２実施形態に係る移動端末を用いた制御ポリシー特定システムの一連の動作について説明する。図１１は、第２実施形態に係る移動端末１０３ａ、ｂを用いた制御ポリシー特定システムの動作フローチャートである。以下より、説明を容易にするために、移動端末１０３ａ〜ｄのうち移動端末１０３ａ，ｂと、ＲＦＩＤタグ１０５ａ〜ｃのうちＲＦＩＤタグ１０５ａ，ｂとの動作について説明する。始めに、ユーザの移動端末１０３ａ、ｂは電源がオンした状態であるとする。
【００８７】
先ず、移動端末１０３ａのユーザが、ＲＦＩＤタグ１０５ａ，ｂが貼付されたポスター１０４ａ，ｂが館内に掲示されているコンサート会場１０２に入場したとする。尚、コンサート会場１０２内では、アクティブタグであるＲＦＩＤタグ１０５ａ，ｂが、制御ポリシー“カメラ機能をＯＦＦにする”を識別するポリシーＩＤ“０５ｈ”を含むポリシーコードを常時送信しているとする（＃１０１，１０２）。
【００８８】
移動端末１０３ａの受信部１３１は、ＲＦＩＤタグ１０５ａが常に送信しているポリシーコードを受信する（＃１０３）。
【００８９】
移動端末１０３ａの判断部１３４は、受信部１３１が受信したポリシーコード内に、記憶部１３３が記憶しているポリシー情報内のポリシーＩＤと一致するポリシーＩＤがあるか否かを判断する（＃１０４）。受信したポリシーコード内のポリシーＩＤ“０５ｈ”は、記憶部１３３のポリシー情報内のポリシーＩＤ“０５ｈ”と一致する。従って、移動端末１０３ａの判断部１３４は、記憶部１３３のポリシー情報の中からポリシーＩＤ“０５ｈ”が示す制御ポリシー“カメラ機能をＯＦＦにする”を抽出し、制御部１３６に送信する。
【００９０】
移動端末１０３ａの制御部１３６は、記憶部１３３内から抽出した制御ポリシー“カメラ機能をＯＦＦにする”に基づいて、カメラ機能をオフさせる（＃１０５）。“カメラ機能をオフさせる”とは、例えばユーザがカメラ機能のアプリケーションを起動させるためのボタンを押下しても、移動端末１０３ａの制御部１３６はカメラ機能のアプリケーションを起動させないように制御する。また、既にカメラ機能が起動している移動端末１０３ａでは、制御部１３６はカメラ機能のアプリケーションを閉じてもよい。または、制御部１３６は、既にカメラ機能が起動している移動端末１０３ａでは、ユーザによりカメラのシャッターが押下されても撮影できないように制御してもよい。
【００９１】
次いで、移動端末１０３ａの受信部１３１は、ＲＦＩＤタグ１０５ｂが常に送信しているポリシーコードを受信したとする（＃１０６）。
【００９２】
移動端末１０３ａの判断部１３４は、受信部１３１が受信したポリシーコード内に、記憶部１３３が記憶しているポリシー情報内のポリシーＩＤと一致するポリシーＩＤがあるか否かを判断する（＃１０７）。受信したポリシーコード内のポリシーＩＤ“０５ｈ”は、記憶部１３３のポリシー情報内のポリシーＩＤ“０５ｈ”と一致する。従って、移動端末１０３ａの判断部１３４は、記憶部１３３のポリシー情報の中からポリシーＩＤ“０５ｈ”と、これに該当する制御ポリシー“カメラ機能をＯＦＦにする”とを抽出し、比較部１３６に送信する。
【００９３】
移動端末１０３ａの比較部１３５は、記憶部１３３が記憶しているカレントポリシーＩＤと、抽出したポリシーＩＤ“０５ｈ”とを比較する（＃１０８）。このとき、移動端末１０３ａはカメラ機能をオフした状態であるため、カレントポリシーＩＤは“０５ｈ”である。従って、比較部１３５は、抽出されたポリシーＩＤ“０５ｈ”とカレントポリシーＩＤ“０５ｈ”とは同一であると判断する。比較部１３５は、同一である旨の比較結果を制御部１３６に送信する。制御部１３６は、比較結果を受信すると、移動端末１０３ａの状態を維持する。
【００９４】
次に、移動端末１０３ｂのユーザが、ＲＦＩＤタグ１０５ａ，ｂが貼付されたポスター１０４ａ，ｂが館内に掲示されているコンサート会場１０２に入場したとする。
【００９５】
移動端末１０３ｂの受信部１３１は、ＲＦＩＤタグ１０５ａが常に送信しているポリシーコードを受信する（＃１０９）。
【００９６】
移動端末１０３ｂの判断部１３４は、受信部１３１が受信したポリシーコード内に、記憶部１３３が記憶しているポリシー情報内のポリシーＩＤと一致するポリシーＩＤがあるか否かを判断する（＃１１０）。受信したポリシーコード内のポリシーＩＤ“０５ｈ”は、記憶部１３３のポリシー情報内のポリシーＩＤ“０５ｈ”と一致する。従って、移動端末１０３ｂの判断部１３４は、記憶部１３３のポリシー情報の中からポリシーＩＤ“０５ｈ”が示す制御ポリシー“カメラ機能をＯＦＦにする”を抽出し、制御部１３６に送信する。
【００９７】
移動端末１０３ｂの制御部１３６は、記憶部１３３内から抽出した制御ポリシー“カメラ機能をＯＦＦにする”に基づいて、カメラ機能をオフさせる（＃１１１）。“カメラ機能をオフさせる”とは、例えばユーザがカメラ機能のアプリケーションを起動させるためのボタンを押下しても、移動端末１０３ｂの制御部１３６はカメラ機能のアプリケーションを起動させないように制御する。また、既にカメラ機能が起動している移動端末１０３ｂでは、制御部１３６はカメラ機能のアプリケーションを閉じてもよい。または、制御部１３６は、既にカメラ機能が起動している移動端末１０３ｂでは、ユーザによりカメラのシャッターが押下されても撮影できないように制御してもよい。
【００９８】
次いで、移動端末１０３ｂの受信部１３１は、ＲＦＩＤタグ１０５ａが常に送信しているポリシーコードを受信したとする（＃１１２）。
【００９９】
移動端末１０３ｂの判断部１３４は、受信部１３１が受信したポリシーコード内に、記憶部１３３が記憶しているポリシー情報内のポリシーＩＤと一致するポリシーＩＤがあるか否かを判断する（＃１１３）。受信したポリシーコード内のポリシーＩＤ“０５ｈ”は、記憶部１３３のポリシー情報内のポリシーＩＤ“０５ｈ”と一致する。従って、移動端末１０３ｂの判断部１３４は、記憶部１３３のポリシー情報の中からポリシーＩＤ“０５ｈ”と、これに該当する制御ポリシー“カメラ機能をＯＦＦにする”とを抽出し、比較部１３６に送信する。
【０１００】
移動端末１０３ｂの比較部１３５は、記憶部１３３が記憶しているカレントポリシーＩＤと、抽出したポリシーＩＤ“０５ｈ”とを比較する（＃１１４）。このとき、移動端末１０３ｂはカメラ機能をオフした状態であるため、カレントポリシーＩＤは“０５ｈ”である。従って、比較部１３５は、抽出されたポリシーＩＤ子“０５ｈ”とカレントポリシーＩＤ“０５ｈ”とは同一であると判断する。比較部１３５は、同一である旨の比較結果を制御部１３６に送信する。制御部１３６は、比較結果を受信すると、移動端末１０３ｂの状態を維持する。
【０１０１】
（４）効果
本実施形態に係る制御ポリシー特定システムは、ＲＦＩＤタグ１０５ａ〜ｃがアクティブタグである場合でも適用できる。そして、本実施形態に係る制御ポリシー特定システムは、複数のＲＦＩＤタグ１０５ａ〜ｃ及び複数の移動端末１０３ａ〜ｄに対して適用できる。本実施形態に係る移動端末１０３ａ〜ｄは、特定の領域内における決められた制御ポリシーに従って自端末を制御する。従って、移動端末１０３ａ〜ｄのユーザは、決められた社会秩序に反することなく、特定の領域内において決められた制御ポリシーに従うことができる。
【０１０２】
＜第３実施形態＞
（１）システムの構成
図１２は、第３実施形態に係る制御ポリシー特定システムの構成図である。第３実施形態では、複数のＲＦＩＤタグ２０２ａ〜ｄは、受信可能エリアを考慮して図１２に示すように配置されている。移動端末２０１は、複数のＲＦＩＤタグ２０２ａ〜ｄの受信可能エリアが重複するポイントに位置している。ここで、受信可能エリアとは、ＲＦＩＤタグ２０２ａ〜ｄが送信したデータを移動端末２０１が受信可能な領域のことを言う。従って、移動端末２０１はＲＦＩＤタグ２０２ａ〜ｄ全てからデータを受信することができる。また、説明を簡単にするため、複数のＲＦＩＤタグ２０２ａ〜ｄの受信可能エリアが重複するポイントに位置する移動端末は１つの場合を例にとる。
【０１０３】
尚、本実施形態では、第１実施形態と同様に、ＲＦＩＤタグ２０２ａ〜ｄが受信した搬送波を電力に変換してＩＤを送信するパッシブタグである場合を想定している。
【０１０４】
（２）移動端末
次に、本発明の第３実施形態に係る移動端末２０１の機能について説明する。第３実施形態に係る移動端末２０１の機能構成は、第１実施形態に係る移動端末３ａと同様である。即ち、移動端末２０１は、受信部、送信部、記憶部、判断部、比較部、制御部及び通信部を含む。
【０１０５】
受信部は、ＲＦＩＤタグ２０２ａ〜ｄからポリシーコードを含むデータを受信する。
【０１０６】
送信部は、自端末に所定のイベントが生じた任意のタイミングで、ポリシーＩＤを含むポリシーコードの送信要求をＲＦＩＤタグ２０２ａ〜ｄに送信する。そして、送信部は、ＲＦＩＤタグ２０２ａ〜ｄに電力を供給する搬送波を送信する。尚、本実施形態では、送信部はポリシーコードの送信要求を送信し、搬送波を任意の期間送信し続ける。
【０１０７】
記憶部は、ポリシー情報を記憶している。ポリシー情報は、移動端末を制御させる制御ポリシーと、該制御ポリシーを識別するポリシーＩＤとを１レコードとして記憶している。また、記憶部は、カレント制御ポリシーを判別可能に記憶している。フラグは、ポリシー情報のうち、どれがカレント制御ポリシーのレコードかを示す。本実施形態は、カレント制御ポリシーの判別方法として、例えばフラグを用いている。フラグの位置は、カレント制御ポリシーの変更に伴い変化する。
【０１０８】
判断部は、記憶部が記憶しているポリシー識別子の何れかが、ＲＦＩＤタグ２０２ａ〜ｄから受信したデータに含まれているか否かを判断する。また、判断部は、受信部がデータを受信する度に、記憶部が記憶しているポリシーＩＤのいずれかが新たに受信したデータに含まれているか否かを判断する。そして、判断部は、判断結果を比較部及び制御部へ送信する。
【０１０９】
判断部が、記憶しているポリシー識別子のいずれかが新たに受信したデータに含まれていると判断すると、比較部は、新たに受信したポリシーＩＤと記憶部が記憶しているカレントポリシーＩＤとを比較し、一致するか否かを判断する。そして、比較部は、比較結果を制御部及び記憶部へ送信する。例えば、比較結果が不一致である場合は、記憶部はカレントポリシーＩＤを示すフラグの位置を変更する。
【０１１０】
制御部は、受信部が受信したポリシーＩＤに基づいて自端末の制御を行う。また、カレントポリシーＩＤが示す制御ポリシーが変更される度に、制御部は更新後のカレント制御ポリシーに基づいて自端末を制御する。
【０１１１】
通信部は、他の通信端末との通信を行う。
【０１１２】
（３）ＲＦＩＤタグ
各ＲＦＩＤタグ２０２ａ〜ｄはポリシーコードを記憶している。各ポリシーコード内の情報の種類は、第１実施形態の図２と同様である。即ち、各ポリシーコードは、ポリシーＩＤと、該当機器コードと、シーケンスナンバーとを含む。ポリシーＩＤは、ＲＦＩＤタグ２０２ａ〜ｄが位置している領域内の制御ポリシーを識別する。該当機器コードは、制御ポリシーを強制する対象の機器を示す。シーケンスナンバーは、各ＲＦＩＤタグ２０２ａ〜ｄを識別するための固有情報である。以下より、ＲＦＩＤタグ２０２ａ〜ｄのシーケンスナンバーを、それぞれ“００”、 “０１”、“１０”、“１１”とする。
【０１１３】
各ＲＦＩＤタグ２０２ａ〜ｄは、各々のシーケンスナンバーに基づいて、ポリシーコードを送信するスロットを生成する生成部を含む。そして各ＲＦＩＤタグ２０２ａ〜ｄは、生成部が生成したスロットを用いて、ポリシーコードを順次に時分割に送信する送信部を含む。即ち、各ＲＦＩＤタグ２０２ａ〜ｄは、ポリシーコードの送信要求を受信してからポリシーコードを送信するまでの待機時間を、シーケンスナンバーに基づいて設定する。例えば、ＲＦＩＤタグ２０２ａでは、シーケンスナンバー“００”に基づいて、ポリシーコードの送信要求を受信してからポリシーコードを送信するまでの待機時間を“０”スロットと設定する。ＲＦＩＤタグ２０２ｂでは、シーケンスナンバー“０１”に基づいて、ポリシーコードの送信要求を受信してからポリシーコードを送信するまでの待機時間を“１”スロットと設定する。ＲＦＩＤタグ２０２ｃでは、シーケンスナンバー“１０”に基づいて、ポリシーコードの送信要求を受信してからポリシーコードを送信するまでの待機時間を“２”スロットと設定する。ＲＦＩＤタグ２０２ｄでは、シーケンスナンバー“１１”に基づいて、ポリシーコードの送信要求を受信してからポリシーコードを送信するまでの待機時間を“３”スロットと設定する。言い換えると、各ＲＦＩＤタグ２０２ａ〜ｄは、他のＲＦＩＤタグがポリシーコードを送信している期間と重畳しないように送信期間を設定する。
【０１１４】
（３）動作フロー
次に、上述した移動端末２０１は複数のＲＦＩＤタグ２０２ａ〜ｄからポリシーコードを受信する動作について説明する。図１３は、第３実施形態に係る移動端末２０１と複数のＲＦＩＤタグ２０２ａ〜ｄとの送受信の動作を示すタイミングチャートである。
【０１１５】
先ず、移動端末２０１はポリシーコードの送信要求を送信し、搬送波を送信し続ける。ＲＦＩＤタグ２０２ａは、移動端末２０１からポリシーコードの送信要求を受信すると、待機せずにポリシーコードを送信する。ＲＦＩＤタグ２０２ｂは、移動端末２０１からポリシーコードの送信要求を受信すると、１スロット待機してからポリシーコードを送信する。ＲＦＩＤタグ２０２ｃは、移動端末２０１からポリシーコードの送信要求を受信すると、２スロット待機してからポリシーコードを送信する。ＲＦＩＤタグ２０２ｄは、移動端末２０１からポリシーコードの送信要求を受信すると、３スロット待機してからポリシーコードを送信する。移動端末２０１は、ＲＦＩＤタグ２０２ａ〜ｄの各ポリシーコードを順次に受信する。
【０１１６】
次いで、移動端末２０１は、受信した各ポリシーコード内からポリシーＩＤを検索及び比較し、各ポリシーＩＤに対応する制御ポリシーに従い自端末を制御する。
【０１１７】
（４）効果
上述した方法によると、ＲＦＩＤタグ２０２ａ〜ｄは順次にポリシーコードを送信し、移動端末２０１はこれを受信する。これにより、ＲＦＩＤタグ２０２ａ〜ｄが送信するポリシーコード同士の衝突を回避することができる。
【０１１８】
また、本実施形態では移動端末が１つの場合について述べたが、ＲＦＩＤタグ２０２ａ〜ｄの受信機能エリア内には複数の移動端末が位置していてもよい。
【０１１９】
本実施形態では、ＲＦＩＤタグ２０２ａ〜ｄはパッシブタグを想定しているが、アクティブタグでも適用できる。この場合、移動端末２０２は、送信要求及び搬送波を送信する送信部がなくてもよい。尚、アクティブタグであるＲＦＩＤタグ２０２ａ〜ｄは、各々のＲＦＩＤタグ２０２ａ〜ｄと通信を行うための通信インターフェースを介して接続されている。ＲＦＩＤタグ２０２ａ〜ｄは、通信インターフェースを介してポリシーコードを送信するタイミングを互いに決定し、決定されたタイミングに基づいてポリシーコードを送信するためのスロットを生成する。即ち、ＲＦＩＤタグ２０２ａ〜ｄは、常に各ポリシーコードを生成したスロットで時分割送信している。
【０１２０】
また、本実施形態に係るＲＦＩＤタグ２０２ａ〜ｄは、セミパッシブタグでも適用できる。セミパッシブタグは電源を内蔵している。セミパッシブタグであるＲＦＩＤタグ２０２ａ〜ｄは、移動端末２０２からの送信要求を受信すると、内蔵している電源を用いてポリシーコードを時分割に送信する。
【０１２１】
また、ＲＦＩＤタグ２０２ａ〜ｄが制御ポリシーの統一された領域内に位置しており、同一のポリシーＩＤを含むポリシーコードを記憶している場合は、以下のようなシステムを用いても良い。まず移動端末２０１は、ポリシーコードの送信要求を送信する。移動端末２０１からポリシーコード送信要求を受信したＲＦＩＤタグ２０２ａ〜ｄは、ポリシーコードを時分割に送信する。移動端末２０１は、受信部がＲＦＩＤタグ２０２ａ〜ｄのうち少なくとも１つのＲＦＩＤタグからポリシーコードを受信すると、判断部は送信部によるポリシーコードの送信要求を停止する。言い換えると、移動端末２０１は、最初に送られてきたポリシーコードを受信すると、それ以降に送られてきたポリシーコードを受信しない。尚、送信要求は搬送波であってもよい。これにより、移動端末２０１は複数のＲＦＩＤタグ２０２ａ〜ｄから同一のポリシーＩＤを含むポリシーコードを複数回受信しなくて済む。即ち、移動端末２０１は、同じポリシーコードを検索及び受信する必要がない。従って、移動端末２０１の消費電力を抑えることができる。
【０１２２】
尚、上述したシステムは、同じ領域内に複数の移動端末が位置している場合にも好適である。この場合、各移動端末がポリシーコードを受信する時間は“１スロット分”である。各移動端末がポリシーコードを受信する時間は、ＲＦＩＤタグ２０２ａ〜ｄからのポリシーコード全てを受信する時間に比べて短い。すると、複数の移動端末におけるポリシーコードの送信要求同士が衝突する確率が低くなる。従って、送信要求同士の衝突を回避することができる。
【０１２３】
＜第４実施形態＞
（１）システムの構成
図１４は、第４実施形態に係る制御ポリシー特定システムの構成図である。第４実施形態は、例えば会社用の移動端末３０３及び社内の固定電話３０５に、本発明の制御ポリシー特定システム３０１を用いた例である。会社の社内３０２には、移動端末３０３、社内ＰＢＸ（Private Branch eXchange)３０４、固定電話３０５、基地局３０６及びＲＦＩＤタグ３０７が備えられている。社内ＰＢＸ３０４は、社内の内線電話接続や公衆回線への接続を行う企業内の電話交換機である。社内ＰＢＸ３０４には、固定電話３０５及び移動端末３０３と通信を行う基地局３０６が接続されている。また、会社の社内３０２にはパッシブタグであるＲＦＩＤタグ３０７が設置されている。ＲＦＩＤタグ３０７は、会社の社内３０２の制御ポリシーを識別するためのポリシーＩＤを備えたポリシーコードを記憶している。ここで、ＲＦＩＤタグ３０７が記憶しているポリシーコードは、制御ポリシー“移動端末の着信を固定電話３０５へ自動転送する”と、ポリシーＩＤ“０６ｈ”とを対応づけて記憶しているとする。また、第１実施形態と同様、本実施形態では、ＲＦＩＤタグ３０７は受信した搬送波を電力に変換しＩＤを送信するパッシブタグである場合を想定している。
【０１２４】
移動端末３０３は、ＲＦＩＤタグ３０７からポリシーコードを受信すると、これに基づいて会社の社内３０２の制御ポリシーを特定し、特定した制御ポリシーに基づいて自端末の制御を行う。
【０１２５】
（２）移動端末
次に、本発明の第４実施形態に係る移動端末３０３の機能について説明する。移動端末３０３の機能構成は、第１実施形態に係る移動端末３ａと同様である。即ち、移動端末３０３ａは、受信部、送信部、記憶部、判断部、比較部、制御部及び通信部を含む。
【０１２６】
受信部は、ＲＦＩＤタグ３０７からポリシーコードを含むデータを受信する。
【０１２７】
送信部は、自端末に着信が生じたタイミングで、ポリシーＩＤを含むポリシーコードの送信要求をＲＦＩＤタグ３０７に送信する。そして、送信部は、ＲＦＩＤタグ３０７に電力を供給する搬送波を送信する。
【０１２８】
記憶部は、ポリシー情報を記憶している。ポリシー情報は移動端末を制御させる制御ポリシーと、該制御ポリシーを識別するポリシーＩＤとを１レコードとして記憶している。図１５は、本実施形態に係るポリシー情報の概念図である。図１５のポリシー情報は、第２実施形態の記憶部３３が記憶している対応情報に加え、更にポリシーＩＤ“０６ｈ”と制御ポリシー“着信を固定電話に自動転送する”とを対応づけて記憶している。また、記憶部は、カレント制御ポリシーを判別可能に記憶している。本実施形態は、カレント制御ポリシーの判別方法として、例えばフラグを用いている。フラグは、ポリシー情報のうち、どれがカレント制御ポリシーのレコードかを示す。フラグの位置は、カレント制御ポリシーの変更に伴い変化する。
【０１２９】
判断部は、記憶部が記憶しているポリシー識別子の何れかが、ＲＦＩＤタグ３０７から受信したデータに含まれているか否かを判断する。また、判断部は、受信部がデータを受信する度に、記憶部が記憶しているポリシーＩＤのいずれかが新たに受信したデータに含まれているか否かを判断する。そして、判断部は、判断結果を比較部及び制御部へ送信する。
【０１３０】
判断部が、記憶しているポリシー識別子のいずれかが新たに受信したデータに含まれていると判断すると、比較部は、新たに受信したポリシーＩＤと記憶部が記憶しているカレントポリシーＩＤとを比較し、一致するか否かを判断する。そして、比較部は、比較結果を制御部及び記憶部へ送信する。例えば、比較結果が不一致である場合は、記憶部はカレントポリシーＩＤを示すフラグの位置を変更する。
【０１３１】
制御部は、受信部が受信したポリシーＩＤに基づいて自端末の制御を行う。また、カレントポリシーＩＤが示す制御ポリシーが変更される度に、制御部は更新後のカレント制御ポリシーに基づいて自端末を制御する。
【０１３２】
通信部は、他の通信端末との通信を行う。
【０１３３】
（３）一連の動作フロー
次に、第４実施形態に係る制御ポリシー特定システム３０１の一連の動作について説明する。図１６は、第４実施形態に係る制御ポリシー特定システム３０１の動作フローチャートである。はじめに、移動端末３０３ａのカレントポリシーＩＤ及びカレント制御ポリシーは、それぞれ“０４ｈ”“着信可能にする”であるとする。即ち、現在の移動端末３０３は“着信可能”な状態であるとする。
【０１３４】
先ず、移動端末３０３のユーザは、会社の社内３０２かつＲＦＩＤタグ３０７の領域内にいるとする。
【０１３５】
ＲＦＩＤタグ３０７の領域外に位置する通信端末が移動端末３０３に向けて発呼すると（＃２０１）、移動端末３０３の通信部は着信を検出する（＃２０２）。すると、移動端末３０３の送信部は着信をユーザに知らせる処理を中断させて、会社の社内３０２のＲＦＩＤタグ３０７へポリシーコードの送信要求を送信する（＃２０３）。移動端末３０３からポリシーコードの送信要求を受信したＲＦＩＤタグ３０７は、ポリシーコードを送信する（＃２０４）。移動端末３０３の受信部はこれを受信する（＃２０５）。
【０１３６】
移動端末３０３の判断部は、受信部が受信したポリシーコード内に、記憶部が記憶しているポリシー情報内のポリシーＩＤと一致するポリシーＩＤがあるか否かを判断する（＃２０６）。受信したポリシーコードはポリシーＩＤ“０６ｈ”を有しており、記憶部のポリシー情報内のポリシーＩＤ“０６ｈ”と一致する。従って、移動端末３０３の判断部は、記憶部のポリシー情報の中からポリシーＩＤ“０６ｈ”が示す制御ポリシー“着信を固定電話に自動転送する”を抽出し、比較部に送信する。
【０１３７】
移動端末３０３の比較部は、記憶部が記憶しているカレントポリシーＩＤと、抽出したポリシーＩＤ“０６ｈ”とを比較する（＃２０７）。ここで、移動端末３０３のカレントポリシーＩＤは“０４ｈ”であるため、比較部は、抽出されたポリシーＩＤ“０６ｈ”とカレントポリシーＩＤ“０４ｈ”とは異なると判断する。比較部は、比較結果を記憶部及び制御部に送信する。記憶部は、比較結果に基づいて、カレントポリシーＩＤを示すフラグの位置をカレントポリシーＩＤ“０４ｈ”から“０６ｈ”に変更する。
【０１３８】
移動端末３０３の制御部は、ポリシーＩＤ“０６ｈ”に対応する制御ポリシー“着信を固定電話に自動転送する”に基づいて、通信端末からの着信を社内の固定電話３０５に自動転送する（＃２０８）。すると、社内の固定電話３０５と通信端末との間のコネクションが確立される。これにより、社内の固定電話３０５と通信端末とは通話を行うことができる（＃２０９、２１０）。
【０１３９】
（４）効果
本発明に係るＲＦＩＤタグの制御ポリシー特定システムは、会社の社内３０２の固定電話への自動転送システムに適用できる。一般的に、固定電話や移動端末等の通信端末と移動端末３０３との通話料金は、通信端末と固定電話間の通話料金よりも高い。本実施形態のように、本発明の制御ポリシー特定システムを固定電話への自動転送システムとして利用すると、移動端末３０３への着信は固定電話３０５へ転送される。そのため、通信端末と固定電話３０５との間で通話が行われる。従って、通信端末の通話料金は移動端末３０３との通話の場合よりも安くなる。通信端末の所有者が移動端末３０３の所有者、即ち会社である場合は、会社の諸経費を削減することができる。
【０１４０】
尚、本実施形態ではＲＦＩＤタグ３０７がパッシブタグである場合について述べたが、アクティブタグであっても適用できる。この場合、移動端末３０３はＲＦＩＤタグ３０７から常に送信されているＩＤを受信し検索及び比較を行い、ポリシーＩＤに対応する制御ポリシーに基づいて自端末を制御する。
【０１４１】
＜その他の実施形態＞
（１）第１例
１つの領域内に、パッシブタグであるＲＦＩＤタグ５０１と、複数の移動端末５０２ａ，ｂとがある場合を考える。この場合は、移動端末５０２ａ，ｂは、ＬＢＴ（Listen Before Talk)法を用いてＲＦＩＤタグ５０１からポリシーコードを受信してもよい。ＬＢＴ法とは、各移動端末５０２ａ，ｂが、着信等の所定のイベントが生じた任意のタイミングで他の移動端末がＲＦＩＤタグからポリシーコードを受信しているか否かを、電波を用いて調査する方法である。
【０１４２】
例えば、他の移動端末５０２ｂがＲＦＩＤタグ５０１からポリシーコードを受信していない場合は、移動端末５０２ａはポリシーコードの送信要求をＲＦＩＤタグ５０１へ送信する。他の移動端末５０２ｂがＲＦＩＤタグ５０１からポリシーコードを受信している場合は、移動端末５０２ａは他の移動端末５０２ｂが受信中のポリシーコードを傍受してもよい。そして、移動端末５０２ａは、傍受したポリシーコード内のポリシーＩＤを判断・比較する。傍受したポリシーＩＤがカレントポリシーＩＤと異なれば、移動端末５０２ａは傍受したポリシーＩＤが示す制御ポリシーに基づいて自端末を制御する。
【０１４３】
これにより、各移動端末５０２ａ，ｂの送信部がポリシーコードの送信要求を送信するタイミングが同一であっても、各移動端末５０２ａ，ｂはポリシーコードの送信要求をＲＦＩＤタグ５０１へ一斉に送信しない。即ち、各移動端末５０２ａ，ｂがポリシーコードの送信要求をＲＦＩＤタグ５０１へ送信するタイミングは重畳しない。従って、各移動端末５０２ａ，ｂが送信するポリシーコードの送信要求どうしの衝突を回避することができる。
【０１４４】
（２）第２例
１つの領域内に、パッシブタグであるＲＦＩＤタグ６０１と、複数の各移動端末６０２ａ，ｂとがある場合を考える。この場合、各移動端末６０２ａ，ｂがＲＦＩＤタグ６０１からポリシーコードを受信する際に、先ずポリシーコードの“該当機器コード”のみを検索してもよい。すると、各移動端末６０２ａ，ｂの判断部は、受信したポリシーコード内から該当機器コードを検索し、該当機器コードが自端末の機器コードであるか否かを判断する。受信したポリシーコード内の該当機器コードが自端末の機器コードと一致した場合のみ、受信部は残りのポリシーコードの内容、即ちポリシーＩＤを受信する。言い換えると、各移動端末６０２ａ，ｂは、ＲＦＩＤタグ６０１からのポリシーコードが自端末向けであるものだけを受信する。これにより、各移動端末６０２ａ，ｂは自端末向け以外のポリシーコードを取得することがないため、各移動端末６０２ａ，ｂがＲＦＩＤタグ６０１からポリシーコードを受信する時間は短縮される。従って、複数の移動端末６０２ａ，ｂがＲＦＩＤタグ６０１からポリシーコードを受信する時間が重畳することを回避することができる。
【０１４５】
（３）第３例
移動端末７０１を所有するユーザが、移動端末７０１におけるデータ受信部分をシールド等で遮蔽した場合を考える。この場合、移動端末７０１はＲＦＩＤタグ７０２からポリシーＩＤを含むポリシーコード等のデータを受信できない。このような場合を想定し、移動端末７０１のデータ受信部分にはセンサを埋め込むとよい。センサは、データ受信部分と該データ受信部分から一番近いものとの距離を検出する。センサの検出した距離が非常に短い場合は、移動端末７０１の制御部は、ユーザがデータ受信部分を遮蔽していると判断する。そして、移動端末７０１は、例えば着信／受信拒否の状態に自端末を制御する。自端末の制御の方法は、ユーザにデータ受信部分の遮蔽解除を促す方法であってもよい。これにより、ユーザが領域内のポリシーに従わない場合を防止することができる。
【産業上の利用可能性】
【０１４６】
本発明は、携帯電話やＰＤＡ等の持ち運びが容易でかつ通信ができる移動端末に適用することができる。また、本発明に係る制御ポリシー特定システムは、病院やコンサート会場、映画館、美術館、電車の社内、会社の社内等の特定のポリシーを有する領域において使用するとよい。
【図面の簡単な説明】
【０１４７】
【図１】第１実施形態に係る制御ポリシー特定システムの構成図。
【図２】ＲＦＩＤタグが有するポリシーコードの情報の説明図。
【図３】第１実施形態に係る移動端末の機能構成図。
【図４】第１実施形態に係る記憶部が記憶しているポリシー情報の概念図である。
【図５】第１実施形態に係る制御ポリシー特定システムの動作フローチャート。
【図６】第１実施形態係る制御ポリシー特定システムの構成図。
【図７】第１実施形態に係る制御ポリシー特定システムの動作フローチャート。
【図８】第２実施形態に係る制御ポリシー特定システムの構成図。
【図９】第２実施形態に係る移動端末の機能構成図。
【図１０】第２実施形態に係る記憶部が記憶しているポリシー情報の概念図
【図１１】第２実施形態に係る制御ポリシー特定システムの動作フローチャート
【図１２】第３実施形態に係る制御ポリシー特定システムの構成図。
【図１３】第３実施形態に係る移動端末と複数のＲＦＩＤタグとの動作を示すタイミングチャート。
【図１４】第４実施形態に係る制御ポリシー特定システムの構成図。
【図１５】第４実施形態に係る記憶部が記憶しているポリシー情報の概念図。
【図１６】第４実施形態に係る制御ポリシー特定システムの動作フローチャート。
【図１７】従来の移動端末を制御する方法の一例。
【図１８】特許文献１に係る移動端末及びＲＦＩＤタグを用いたシステム構成図。
【手続補正３】
【補正対象書類名】図面
【補正対象項目名】全図
【補正方法】変更
【補正の内容】
【図１】
2005122625.tif 000020
【図２】
2005122625.tif 000021
【図３】
2005122625.tif 000022
【図４】
2005122625.tif 000023
【図５】
2005122625.tif 000024
【図６】
2005122625.tif 000025
【図７】
2005122625.tif 000026
【図８】
2005122625.tif 000027
【図９】
2005122625.tif 000028
【図１０】
2005122625.tif 000029
【図１１】
2005122625.tif 000030
【図１２】
2005122625.tif 000031
【図１３】
2005122625.tif 000032
【図１４】
2005122625.tif 000033
【図１５】
2005122625.tif 000034
【図１６】
2005122625.tif 000035
【図１７】
2005122625.tif 000036
【図１８】
2005122625.tif 000037
【国際調査報告】
2005122625.tif 000038
2005122625.tif 000039
2005122625.tif 000040
2005122625.tif 000041